(57)【特許請求の範囲】
【請求項１】
クロック決定情報に基づいて複数のクロックのうちのいずれかをマスタ・クロックとして決定するとともに該マスタ・クロックに対応したクロックの品質レベルを示すシンクロナイゼイション・メッセージを出力するシンクロナイゼイション・メッセージ処理部と、該決定されたマスタ・クロックを選択するクロック選択部と、該シンクロナイゼイション・メッセージを送信フレームに挿入するシンクロナイゼイション・メッセージ挿入部と、該送信フレームを該クロック選択部からのマスタ・クロックに基づいて送信する信号送信部と、で構成されるシンクロナイゼイション・メッセージ送信装置において、
該クロック選択部の異常状態を検出して異常情報を該シンクロナイゼイション・メッセージ処理部、該シンクロナイゼイション・メッセージ挿入部、及び該信号送信部のいずれかに与える異常検出部を設け、該異常情報を受けた該シンクロナイゼイション・メッセージ処理部、該シンクロナイゼイション・メッセージ挿入部、及び該信号送信部のいずれかは、該送信フレームが対向局のマスタ・クロックとして使用できないことを示す情報を該シンクロナイゼイション・メッセージに含ませることを特徴としたシンクロナイゼイション・メッセージ送信装置。
【請求項２】
対向局からの入力信号を受信する信号受信部と、該入力信号に含まれる受信シンクロナイゼイション・メッセージを検出するシンクロナイゼイション・メッセージ検出部と、クロック決定情報に基づいて複数のクロックのうちのいずれかをマスタ・クロックとして決定するとともに該マスタ・クロックに対応したクロックの品質レベルを示す送信シンクロナイゼイション・メッセージを出力するシンクロナイゼイション・メッセージ処理部と、該決定されたマスタ・クロックを選択するクロック選択部と、該送信シンクロナイゼイション・メッセージを送信フレームに挿入するシンクロナイゼイション・メッセージ挿入部と、該送信フレームを該クロック選択部からのマスタ・クロックに基づいて送信する信号送信部と、で構成されるシンクロナイゼイション・メッセージ送信装置において、
該受信シンクロナイゼイション・メッセージに規定されるクロックの品質レベルと内部クロックの品質レベルを比較した結果を示す比較情報を該シンクロナイゼイション・メッセージ処理部、該シンクロナイゼイション・メッセージ挿入部、及び該信号送信部のいずれかに与えるシンクロナイゼイション・メッセージ比較部を設け、該比較情報において、該受信シンクロナイゼイション・メッセージに規定されるクロックの品質レベルが内部クロックの品質レベルより低いことを示すとき、該比較情報を受けた該シンクロナイゼイション・メッセージ処理部、該シンクロナイゼイション・メッセージ挿入部、及び該信号送信部のいずれかは、該送信フレームが対向局のマスタ・クロックとして使用できないことを示す情報を該送信シンクロナイゼイション・メッセージに含ませることを特徴としたシンクロナイゼイション・メッセージ送信装置。
【請求項３】
マスタ・クロックに対応したクロックの品質レベルを示すシンクロナイゼイション・メッセージを出力するシンクロナイゼイション・メッセージ処理部と、該シンクロナイゼイション・メッセージを送信フレームに挿入するシンクロナイゼイション・メッセージ挿入部と、該送信フレームを該マスタ・クロックに基づいて送信する信号送信部と、で構成されるシンクロナイゼイション・メッセージ送信装置において、
該シンクロナイゼイション・メッセージ挿入部の異常状態を検出して異常情報を該信号送信部に与える異常検出部を設け、該異常情報を受けた該信号送信部は、該送信フレームが対向局のマスタ・クロックとして使用できないことを示す情報を該シンクロナイゼイション・メッセージに含ませることを特徴としたシンクロナイゼイション・メッセージ送信装置。
【請求項４】
自装置の監視・制御を行う監視・制御部と、マスタ・クロックに対応したクロックの品質レベルを示すシンクロナイゼイション・メッセージを出力するシンクロナイゼイション・メッセージ処理部と、該シンクロナイゼイション・メッセージを送信フレームに挿入するシンクロナイゼイション・メッセージ挿入部と、該送信フレームを該マスタ・クロックに基づいて送信する信号送信部と、で構成されるシンクロナイゼイション・メッセージ送信装置において、
該監視・制御部が、擬似設定情報を出力して該シンクロナイゼイション・メッセージ挿入部を未実装状態と同等の擬似未実装状態に設定すると同時に該シンクロナイゼイション・メッセージ挿入部が該擬似未実装状態であることを示す未実装状態情報を該信号送信部に与え、該未実装状態情報を受けた該信号送信部は、該送信フレームが対向局のマスタ・クロックとして使用できないことを示す情報を該シンクロナイゼイション・メッセージに含ませることを特徴としたシンクロナイゼイション・メッセージ送信装置。
【請求項５】
マスタ・クロックに対応したクロックの品質レベルを示すシンクロナイゼイション・メッセージを出力するシンクロナイゼイション・メッセージ処理部と、該シンクロナイゼイション・メッセージを送信フレームに挿入するシンクロナイゼイション・メッセージ挿入部と、該送信フレームを該マスタ・クロックに従って送信する信号送信部と、で構成されるシンクロナイゼイション・メッセージ送信装置において、
該信号送信部の異常状態を検出する異常検出部を設け、該異常状態が検出されたとき、該送信フレームが対向局のマスタ・クロックとして使用できないことを示す情報を該シンクロナイゼイション・メッセージに含ませることを特徴としたシンクロナイゼイション・メッセージ送信装置。
【請求項６】
自装置の監視・制御を行う監視・制御部と、マスタ・クロックに対応したクロックの品質レベルを示すシンクロナイゼイション・メッセージを出力するシンクロナイゼイション・メッセージ処理部と、該シンクロナイゼイション・メッセージを送信フレームに挿入するシンクロナイゼイション・メッセージ挿入部と、該送信フレームを該マスタ・クロックに基づいて送信する信号送信部と、で構成されるシンクロナイゼイション・メッセージ送信装置において、
該監視・制御部が、擬似設定情報を出力して該信号送信部を未実装状態と同等の擬似未実装状態に設定し、該信号送信部は、該送信フレームが対向局のマスタ・クロックとして使用できないことを示す情報を該シンクロナイゼイション・メッセージに含ませることを特徴としたシンクロナイゼイション・メッセージ送信装置。
【請求項７】
請求項１において、
該異常検出部が、該異常状態として該クロック選択部の未実装状態を検出するものであることを特徴としたシンクロナイゼイション・メッセージ送信装置。
【請求項８】
請求項１において、
該異常検出部が、該異常状態として該クロック選択部の誤実装状態を検出するものであることを特徴としたシンクロナイゼイション・メッセージ送信装置。
【請求項９】
請求項１において、
該異常検出部が、該異常状態として該クロック選択部のユニット障害状態を検出するものであることを特徴としたシンクロナイゼイション・メッセージ送信装置。
【請求項１０】
請求項３において、
該異常検出部が、該異常状態として該シンクロナイゼイション・メッセージ挿入部の未実装状態を検出するものであることを特徴としたシンクロナイゼイション・メッセージ送信装置。
【請求項１１】
請求項３において、
該異常検出部が、該異常状態として該シンクロナイゼイション・メッセージ挿入部の誤実装状態を検出するものであることを特徴としたシンクロナイゼイション・メッセージ送信装置。
【請求項１２】
請求項３において、
該異常検出部が、該異常状態として該シンクロナイゼイション・メッセージ挿入部のユニット障害状態を検出するものであることを特徴としたシンクロナイゼイション・メッセージ送信装置。
【請求項１３】
請求項５において、
該異常検出部が、該異常状態として該信号送信部のユニット障害状態を検出するものであることを特徴としたシンクロナイゼイション・メッセージ送信装置。
【請求項１４】
請求項１、２、７、８、及び９のいずれかにおいて、
該クロック選択部が、ＳＯＮＥＴで使用される該マスタ・クロックとしてのシステム・クロックを選択するシステム・クロック選択部及び該システム・クロックから変換された該マスタ・クロックとしての基準ＤＳ１用リファレンス・クロックを選択するリファレンス・クロック選択部のうちのいずれかであることを特徴としたシンクロナイゼイション・メッセージ送信装置。
【請求項１５】
請求項１から１４のいずれかにおいて、
該シンクロナイゼイション・メッセージ挿入部が、該シンクロナイゼイション・メッセージを、該送信フレームがＳＯＮＥＴ用フレームであるときのオーバヘッド及びＥＳＦ・ＤＳ１であるときのデータリンクのいずれかに挿入することを特徴としたシンクロナイゼイション・メッセージ送信装置。
【発明の詳細な説明】
【発明の属する技術分野】
本発明はシンクロナイゼイション・メッセージ送信装置に関し、特にシンクロナイゼイション・メッセージを用いて、通信網の同期を図るシンクロナイゼイション・メッセージ送信装置に関するものである。
【０００１】
例えば、米国等の同期網通信基準であるＳＯＮＥＴ(Synchronous Optical NETwork)規格においては、クロックの品質レベル（クロックの精度）を示すシンクロナイゼイション・メッセージが規定されており、このようなシンクロナイゼイション・メッセージを、ＳＯＮＥＴ信号のオーバヘッド及び拡張スーパフレーム・フォーマット（Extended Superframe Format)（以後、ＥＳＦと略称する）を有するＤＳ１(Digital Signal 1)信号のデータリンクを使って送受信し、一番品質の良いクロックをマスタ・クロックとして選択する機能が新たに要求されている。
【０００２】
【従来の技術及び課題】
まず、図５０〜５２を用いて、シンクロナイゼイション・メッセージを送受信する信号フレームの例として、ＳＯＮＥＴ信号フレームのオーバヘッドと拡張スーパフレームのデータリンクについて説明する。
【０００３】
図５０は、ペイロード部を省略したＳＯＮＥＴ信号フレーム（ＯＣ−１，ＳＴＳ−１）のオーバヘッド（セクション及びライン）を示しており、このオーバヘッドは３行９列の２次元のバイト配列で表現されている。
【０００４】
オーバヘッドのＡ１，Ａ２はフレーム同期用、Ｊ０はＳＴＳ識別用，Ｂ１，Ｂ２はビットインタリーブパリティ８用、Ｅ１，Ｅ２はオーダワイヤ用、Ｄ１〜Ｄ１２はデータ通信チャネル用、Ｈ１〜Ｈ３はポインタ用、Ｋ１，Ｋ２は自動切換用，Ｓ１は同期品質レベル用、Ｍ０又はＭ１はＦＥＢＥ用にそれぞれ割り振られたバイト位置である。
【０００５】
このうちのＳ１バイトにおけるビット５〜８の計４ビット（網かけで図示）にシンクロナイゼイション・メッセージが挿入される。
【０００６】
図５１（１）はＤＳ１フレームのフォーマットを示しており、このＤＳ１は１ビットのフレームビットＦＢ０と８ビットの符号ビットで構成されている２４チャネルのタイムスロットＴＳ１〜２４の計１９３（＝１＋８×２４）ビットで構成されている。また、このＤＳ１フレームの時間幅は１２５μｓ（１．５４４Ｍb/s)である。
【０００７】
同図（２）はＥＳＦを示しており、このＥＳＦはＤＳ１フレームが２４個連続した計４６３２（＝１９３×２４）ビットで構成されている。従って、このＥＳＦの時間幅は３ｍｓ（＝１２５μｓ×２４）である。
【０００８】
また、「フレーム番号」はＥＳＦを構成する連続した２４個のＤＳ１フレームに対応して順次付けた番号を示しており、「ビット番号」はＥＳＦ全体を構成する４６３２ビットに、最初に送信されるビットを“ビット番号０”として順次付けた番号を示している。
【０００９】
このＥＳＦの２４個のフレームビットは、▲１▼６個のフレーム同期信号用、▲２▼６個の巡回冗長検査（ＣＲＣ）用、▲３▼１２個のデータリンク用に割り振られている。
【００１０】
図５２は、上記の「フレーム番号」と、４６３２ビットで構成されるＥＳＦのうちの２４個の「フレームビット」の「ビット番号」と、この「フレームビット」を「フレーム同期信号1)」と「ＣＲＣ2)」及び「データリンク3)」に割り付けた配置と、を示している。
【００１１】
「フレーム同期信号▲１▼」は、ビット番号５７９，１３５１，２１２３，２８９５，３６６７，４４３９の計６ビットの位置に順次“０，０，１，０，１，１”を挿入して形成され、「ＣＲＣ▲２▼」は、ビット番号１９３，９６５，１７３７，２５０９，３２８１，４０５３の計６ビットの位置に順次“Ｃ１，Ｃ２，Ｃ３，Ｃ４，Ｃ５，Ｃ６”を挿入して作成される。
【００１２】
「データリンク▲３▼」は、同図でＸ印で示したビット番号０，３８６，…，４２４６の計１２ビットの位置に順次データが挿入されて作成される。この「データリンク▲３▼」にシンクロナイゼイション・メッセージが挿入される。
【００１３】
なお、シンクロナイゼイション・メッセージのビット数は１６ビットであるため、このシンクロナイゼイション・メッセージは複数のＥＳＦのデータリンクにまたがって割り付けられる。
【００１４】
図５３は送信フレームのクロックの品質レベルを、リファレンス・クロックとして選択する場合の優先順、すなわちクロック精度順に示すとともに対応するシンクロナイゼイション・メッセージ（オーバヘッドＳ１バイト又はＥＳＦ・ＤＳ１データリンク）の符号を示している。
【００１５】
すなわち、クロックの品質レベルは優先順に示すと、▲１▼階層１トレーサブル（ＰＲＳ）、▲２▼同期化トレーサビリティ不定（ＳＴＵ）、▲３▼階層２トレーサブル・ホールドオーバ（ＳＴ２）、▲４▼階層３トレーサブル・ホールドオーバ（ＳＴ３）、▲５▼トレーサブルＳＯＮＥＴ内部クロック（ＳＩＣ）、▲６▼トレーサブル階層４フリーラニング（ＳＴ４）、▲７▼同期クロックとして使用不可（ＤＵＳ）、▲８▼ネットワーク・シンクロナイゼイション用予約（ＲＥＳ）、の８階層になる。なお、括弧内は略称である。
【００１６】
この品質レベルのうちの階層▲８▼ＲＥＳはネットワークシンクロナイゼイション用に予約されており優先順位はユーザが決定する。
【００１７】
項目「Ｓ１」にはオーバヘッドのＳ１バイト（図５５参照）に挿入されるクロックの品質レベルに対応するビット符号が示されている。
【００１８】
項目「ＥＳＦ・ＤＳ１データリンク」にはＥＳＦ・ＤＳ１のデータリンクに挿入されるクロックの品質レベルに対応するビット符号が示されている。
【００１９】
一例を挙げれば、「▲７▼同期クロックとして使用不可（ＤＵＳ）」の場合は、（１）オーバヘッドを使用するときは、図５５のＳ１バイトのビット５〜８の位置に“１１１１”を挿入し、（２）データリンクを使用するときは、図５７の項目「データリンク」のＸ部に順次予め決められたビット列“００１１００００１１１１１１１１”を複数のＥＳＦに挿入することを意味している。
【００２０】
上記のようなシンクロナイゼイション・メッセージを用いた従来のシンクロナイゼイション・メッセージ送信装置においては、例えば、ＳＯＮＥＴ規格において通常状態でのシンクロナイゼイション・メッセージの送受信規定、及びリファレンス・クロック切替に関して規定されているが、シンクロナイゼイション・メッセージを処理しているユニット（シンクロナイゼイション・メッセージ挿入部、信号送信部等）や、システム・クロック、及びリファレンス・クロックの選択を行っているユニット（クロック選択部）において、未実装、誤実装、又はユニット障害等の異常が発生した場合や、内部クロックより低い品質レベルの外部クロックが手動操作スイッチ等で誤って選択された場合に、出力信号フレームのリファレンス・クロックの実際の品質レベルが、シンクロナイゼイション・メッセージメッセージが指定する品質レベルより低くなる可能性が有り、しかもこのような場合に対処することができないという問題点があった。
【００２１】
従って本発明は、シンクロナイゼイション・メッセージ送信装置を構成する各部に異常が発生した場合、自局から送信されるフレーム信号をマスタ・クロックとして使用不可であることを対向局に通知して、誤ったクロックの使用を防止することを目的とする。
【００２２】
【課題を解決するための手段】
〔１〕上記の目的を達成するための本発明〔１〕に係るシンクロナイゼイション・メッセージ送信装置は、図１に示すように、クロック決定情報に基づいて複数のクロックのうちのいずれかをマスタ・クロックとして決定するとともに該マスタ・クロックに対応したクロックの品質レベルを示すシンクロナイゼイション・メッセージを出力するシンクロナイゼイション・メッセージ処理部２と、該決定されたマスタ・クロックを選択するクロック選択部１と、該シンクロナイゼイション・メッセージを送信フレームに挿入するシンクロナイゼイション・メッセージ挿入部３と、該送信フレームをクロック選択部１からのマスタ・クロックに基づいて送信する信号送信部４と、で構成されるシンクロナイゼイション・メッセージ送信装置において、クロック選択部１の異常状態を検出して異常情報をシンクロナイゼイション・メッセージ処理部２、シンクロナイゼイション・メッセージ挿入部３、及び信号送信部４のいずれかに与える異常検出部１０を設け、該異常情報を受けたシンクロナイゼイション・メッセージ処理部２、シンクロナイゼイション・メッセージ挿入部３、及び信号送信部４のいずれかは、該送信フレームが対向局のマスタ・クロックとして使用できないことを示す情報を該シンクロナイゼイション・メッセージに含ませることを特徴としている。
【００２３】
まずクロック選択部１の異常情報が異常検出部１０からシンクロナイゼイション・メッセージ処理部２に与えられた場合の動作について説明する。
【００２４】
異常情報を受けたシンクロナイゼイション・メッセージ処理部２は、異常であることをシンクロナイゼイション・メッセージに含ませてシンクロナイゼイション・メッセージ挿入部３に送出する。
【００２５】
このシンクロナイゼイション・メッセージを受信したシンクロナイゼイション・メッセージ挿入部３は送信フレームにこのシンクロナイゼイション・メッセージを挿入して信号送信部４に与え、この送信フレームを受信した信号送信部４は対向局へ送出する。
【００２６】
次に、クロック選択部１の異常情報が異常検出部１０からシンクロナイゼイション・メッセージ挿入部３に与えられた場合について説明する。
【００２７】
異常情報を受けたシンクロナイゼイション・メッセージ挿入部３は、シンクロナイゼイション・メッセージ処理部２からのシンクロナイゼイション・メッセージの内容に関わらず、異常検出部１０から受信した異常情報に基づいて送信フレームに該異常情報を含ませたシンクロナイゼイション・メッセージを挿入して信号送信部４に与える。
【００２８】
このフレームを受信した信号送信部４は上記と同様に送信フレームとして送出する。
【００２９】
さらに、クロック選択部１の異常情報が異常検出部１０から信号送信部４に与えられた場合においては、信号送信部４は、シンクロナイゼイション・メッセージ挿入部３からのシンクロナイゼイション・メッセージの内容に関わらず、異常検出部１０から受信した異常情報に基づいてフレーム内のシンクロナイゼイション・メッセージに強制的に異常情報を含ませた送信フレームを送出する。
【００３０】
このシンクロナイゼイション・メッセージを受信した対向局は該送信フレームのクロックをマスタ・クロックとして採用しないこととなる。
【００３１】
〔２〕上記の目的を達成するための本発明〔２〕に係るシンクロナイゼイション・メッセージ送信装置は、図２に示すように、対向局からの入力信号を受信する信号受信部５と、該入力信号に含まれる受信シンクロナイゼイション・メッセージを検出するシンクロナイゼイション・メッセージ検出部６と、クロック決定情報に基づいて複数のクロックのうちのいずれかをマスタ・クロックとして決定するとともに該マスタ・クロックに対応したクロックの品質レベルを示す送信シンクロナイゼイション・メッセージを出力するシンクロナイゼイション・メッセージ処理部２と、該決定されたマスタ・クロックを選択するクロック選択部１と、該送信シンクロナイゼイション・メッセージを送信フレームに挿入するシンクロナイゼイション・メッセージ挿入部３と、該送信フレームをクロック選択部１からのマスタ・クロックに基づいて送信する信号送信部４と、で構成されるシンクロナイゼイション・メッセージ送信装置において、該受信シンクロナイゼイション・メッセージに規定されるクロックの品質レベルと内部クロックの品質レベルを比較した結果を示す比較情報をシンクロナイゼイション・メッセージ処理部２、シンクロナイゼイション・メッセージ挿入部３、及び信号送信部４のいずれかに与えるシンクロナイゼイション・メッセージ比較部７を設け、該比較情報において、該受信シンクロナイゼイション・メッセージに規定されるクロックの品質レベルが内部クロックの品質レベルより低いことを示すとき、該比較情報を受けたシンクロナイゼイション・メッセージ処理部２、シンクロナイゼイション・メッセージ挿入部３、及び信号送信部４のいずれかは、該送信フレームが対向局のマスタ・クロックとして使用できないことを示す情報を該送信シンクロナイゼイション・メッセージに含ませることを特徴としている。
【００３２】
まずシンクロナイゼイション・メッセージ比較部７の比較情報がシンクロナイゼイション・メッセージ比較部７からシンクロナイゼイション・メッセージ処理部２に与えられた場合の動作について説明する。
【００３３】
比較情報を受けたシンクロナイゼイション・メッセージ処理部２は、受信したフレームのシンクロナイゼイション・メッセージが示す品質が内部クロックの品質より低い場合には、異常情報を送信シンクロナイゼイション・メッセージに含ませてシンクロナイゼイション・メッセージ挿入部３に送出する。
【００３４】
シンクロナイゼイション・メッセージ挿入部３はフレームにこの送信シンクロナイゼイション・メッセージを挿入して信号送信部４に与え、信号送信部４は送信フレームとして対向局へ送出する。
【００３５】
次に、比較情報がシンクロナイゼイション・メッセージ比較部７からシンクロナイゼイション・メッセージ挿入部３に与えられた場合の動作について説明する。
【００３６】
比較情報を受けたシンクロナイゼイション・メッセージ挿入部３は、受信したフレームのシンクロナイゼイション・メッセージが示す品質が内部クロックの品質より低い場合には、シンクロナイゼイション・メッセージ処理部２からの送信シンクロナイゼイション・メッセージの内容に関わらず、シンクロナイゼイション・メッセージ比較部７から受信した比較情報に基づいて異常情報を含ませた送信シンクロナイゼイション・メッセージをフレームに挿入して信号送信部４に与えてる。
【００３７】
このフレームを受信した信号送信部４は上記と同様に送信フレームとして送出する。
【００３８】
さらに、比較情報がシンクロナイゼイション・メッセージ比較部７から信号送信部４に与えられた場合においては、比較情報を受けた信号送信部４は、受信したフレームのシンクロナイゼイション・メッセージが示す品質が内部クロックの品質より低い場合、シンクロナイゼイション・メッセージ挿入部３からのフレームの送信シンクロナイゼイション・メッセージの内容に関わらず、シンクロナイゼイション・メッセージ比較部７から受信した比較情報に基づいてフレーム内の送信シンクロナイゼイション・メッセージに強制的に異常情報を含ませた送信フレームを送出する。
【００３９】
そして、この送信シンクロナイゼイション・メッセージを受信した対向局は該送信フレームのクロックをマスタ・クロックとして採用しないこととなる。
【００４０】
〔３〕上記の目的を達成するための本発明〔３〕に係るシンクロナイゼイション・メッセージ送信装置は、図３に示すように、マスタ・クロックに対応したクロックの品質レベルを示すシンクロナイゼイション・メッセージを出力するシンクロナイゼイション・メッセージ処理部２と、該シンクロナイゼイション・メッセージを送信フレームに挿入するシンクロナイゼイション・メッセージ挿入部３と、該送信フレームをマスタ・クロックに基づいて送信する信号送信部４と、で構成されるシンクロナイゼイション・メッセージ送信装置において、シンクロナイゼイション・メッセージ挿入部３の異常状態を検出して異常情報を信号送信部４に与える異常検出部１０を設け、該異常情報を受けた信号送信部４は、該送信フレームが対向局のマスタ・クロックとして使用できないことを示す情報を該シンクロナイゼイション・メッセージに含ませることを特徴としている。
【００４１】
動作においては、シンクロナイゼイション・メッセージ挿入部３の異常情報が異常検出部１０から信号送信部４に与えられる。
【００４２】
異常情報を受けた信号送信部４は、シンクロナイゼイション・メッセージ挿入部３からのシンクロナイゼイション・メッセージの内容に関わらず、異常検出部１０から受信した異常情報に基づいてフレーム内のシンクロナイゼイション・メッセージに強制的に異常情報を含ませた送信フレームを送出する。
【００４３】
このシンクロナイゼイション・メッセージを受信した対向局は該送信フレームのクロックをマスタ・クロックとして採用しないこととなる。
【００４４】
〔４〕上記の目的を達成するための本発明〔４〕に係るシンクロナイゼイション・メッセージ送信装置は、図４に示すように、自装置の監視・制御を行う監視・制御部８と、マスタ・クロックに対応したクロックの品質レベルを示すシンクロナイゼイション・メッセージを出力するシンクロナイゼイション・メッセージ処理部２と、該シンクロナイゼイション・メッセージを送信フレームに挿入するシンクロナイゼイション・メッセージ挿入部３と、該送信フレームをマスタ・クロックに基づいて送信する信号送信部４と、で構成されるシンクロナイゼイション・メッセージ送信装置において、監視・制御部８が、擬似設定情報を出力してシンクロナイゼイション・メッセージ挿入部３を未実装状態と同等の擬似未実装状態に設定すると同時にシンクロナイゼイション・メッセージ挿入部３が該擬似未実装状態であることを示す未実装状態情報を信号送信部４に与え、該未実装状態情報を受けた信号送信部４は、該送信フレームが対向局のマスタ・クロックとして使用できないことを示す情報を該シンクロナイゼイション・メッセージに含ませることを特徴としている。
【００４５】
すなわち、本発明は、図３と類似した構成であるが、異常検出部１０の代わりに、監視・制御部８が擬似未実装状態設定信号をシンクロナイゼイション・メッセージ挿入部３に与え、さらにシンクロナイゼイション・メッセージ挿入部３が未実装状態である情報を信号送信部４に与えている点が異なっている。
【００４６】
動作においては、監視・制御部８はシンクロナイゼイション・メッセージ挿入部３を擬似未実装状態に設定することができる。この時、監視・制御部８はシンクロナイゼイション・メッセージ挿入部３が擬似未実装状態であることを示す未実装状態情報を信号送信部４に与える。
【００４７】
この未実装状態情報を受けた信号送信部４は、シンクロナイゼイション・メッセージ挿入部３からのシンクロナイゼイション・メッセージの内容に関わらず、フレーム内のシンクロナイゼイション・メッセージに強制的に異常情報を含ませた送信フレームを送出する。
【００４８】
このシンクロナイゼイション・メッセージを受信した対向局は該送信フレームのクロックをマスタ・クロックとして採用しないこととなる。
【００４９】
〔５〕上記の目的を達成するための本発明〔５〕に係るシンクロナイゼイション・メッセージ送信装置は、図５に示すように、マスタ・クロックに対応したクロックの品質レベルを示すシンクロナイゼイション・メッセージを出力するシンクロナイゼイション・メッセージ処理部２と、該シンクロナイゼイション・メッセージを送信フレームに挿入するシンクロナイゼイション・メッセージ挿入部３と、該送信フレームを該マスタ・クロックに従って送信する信号送信部４と、で構成されるシンクロナイゼイション・メッセージ送信装置において、信号送信部４の異常状態を検出する異常検出部１０を設け、該異常状態が検出されたとき、該送信フレームが対向局のマスタ・クロックとして使用できないことを示す情報を該シンクロナイゼイション・メッセージに含ませることを特徴としている。
【００５０】
すなわち、本発明は、図３と類似した構成であるが、異常検出部１０はシンクロナイゼイション・メッセージ挿入部３の異常を検出するの代わりに信号送信部４の異常を検出する点が異なっている。
【００５１】
動作においては、信号送信部４の異常を検出した異常検出部１０は信号送信部４に異常情報を与える。
【００５２】
信号送信部４は、シンクロナイゼイション・メッセージ挿入部３からのシンクロナイゼイション・メッセージの内容に関わらず、フレーム内のシンクロナイゼイション・メッセージに強制的に異常情報を含ませた送信フレームを送出する。
【００５３】
このシンクロナイゼイション・メッセージを受信した対向局は該送信フレームのクロックをマスタ・クロックとして採用しないこととなる。
【００５４】
〔６〕上記の目的を達成するための本発明〔６〕に係るシンクロナイゼイション・メッセージ送信装置は、図６に示すように、自装置の監視・制御を行う監視・制御部８と、マスタ・クロックに対応したクロックの品質レベルを示すシンクロナイゼイション・メッセージを出力するシンクロナイゼイション・メッセージ処理部２と、該シンクロナイゼイション・メッセージを送信フレームに挿入するシンクロナイゼイション・メッセージ挿入部３と、該送信フレームをマスタ・クロックに基づいて送信する信号送信部４と、で構成されるシンクロナイゼイション・メッセージ送信装置において、監視・制御部８が、擬似設定情報を出力して信号送信部４を未実装状態と同等の擬似未実装状態に設定し、信号送信部４は、該送信フレームが対向局のマスタ・クロックとして使用できないことを示す情報を該シンクロナイゼイション・メッセージに含ませることを特徴としている。
【００５５】
すなわち、本発明は、図４と類似した構成であるが、監視・制御部８が擬似未実装状態設定信号をシンクロナイゼイション・メッセージ挿入部３に与える代わりに信号送信部４に与えている点が異なっている。
【００５６】
動作においては、監視・制御部８が信号送信部４を擬似未実装状態に設定すると、この擬似未実装状態に設定された信号送信部４は、シンクロナイゼイション・メッセージ挿入部３からのシンクロナイゼイション・メッセージの内容に関わらず、フレーム内のシンクロナイゼイション・メッセージに強制的に異常情報を含ませた送信フレームを送出する。
【００５７】
このシンクロナイゼイション・メッセージを受信した対向局は該送信フレームのクロックをマスタ・クロックとして採用しないこととなる。
【００５８】
〔７〕本発明では、上記〔１〕において、異常検出部１０が、異常状態としてクロック選択部１の未実装状態を検出してもよい。
【００５９】
すなわち、異常検出部１０はクロック選択部１の未実装状態も検出し、対向局に自局の送信フレームのクロックを対向局のマスタ・クロックとして使用禁止させることが出来る。
【００６０】
〔８〕また本発明では、上記〔１〕において、異常検出部１０が、異常状態としてクロック選択部１の誤実装状態を検出することができる。
【００６１】
すなわち、異常検出部１０はクロック選択部１の誤実装状態も検出し、対向局に自局の送信フレームのクロックを対向局のマスタ・クロックとして使用禁止させることが出来る。
【００６２】
〔９〕さらに本発明では、上記〔１〕において、異常検出部１０が、異常状態としてクロック選択部１のユニット障害状態を検出することもできる。
【００６３】
すなわち、異常検出部１０はクロック選択部１のユニット障害も検出し、対向局に自局の送信フレームのクロックを対向局のマスタ・クロックとして使用禁止させることが出来る。
【００６４】
〔１０〕本発明では、上記〔３〕において、異常検出部１０が、異常状態としてシンクロナイゼイション・メッセージ挿入部３の未実装状態を検出してもよい。
【００６５】
すなわち、異常検出部１０はシンクロナイゼイション・メッセージ挿入部３の未実装状態が検出し、対向局に自局の送信フレームのクロックを対向局のマスタ・クロックとして使用禁止させることが出来る。
【００６６】
〔１１〕また本発明では、上記〔３〕において、異常検出部１０が、異常状態としてシンクロナイゼイション・メッセージ挿入部３の誤実装状態を検出することができる。
【００６７】
すなわち、異常検出部１０はシンクロナイゼイション・メッセージ挿入部３の誤実装状態も検出し、対向局に自局の送信フレームのクロックを対向局のマスタ・クロックとして使用禁止させることが出来る。
【００６８】
〔１２〕さらに本発明では、上記〔３〕において、異常検出部１０が、異常状態としてシンクロナイゼイション・メッセージ挿入部３のユニット障害状態を検出することもできる。
【００６９】
すなわち、異常検出部１０はシンクロナイゼイション・メッセージ挿入部３のユニット障害も検出し、対向局に自局の送信フレームのクロックを対向局のマスタ・クロックとして使用禁止させることが出来る。
【００７２】
〔１３〕また本発明では、上記〔５〕において、異常検出部１０が、異常状態として信号送信部４のユニット障害状態を検出することができる。
【００７３】
すなわち、異常検出部１０は信号送信部４のユニット障害も検出し、対向局に自局の送信フレームのクロックを対向局のマスタ・クロックとして使用禁止させることが出来る。
【００７４】
〔１４〕本発明では、上記〔１〕、〔２〕、〔７〕、〔８〕及び〔９〕のいずれかにおいて、クロック選択部を、ＳＯＮＥＴで使用されるマスタ・クロックとしてのシステム・クロックを選択するシステム・クロック選択部、又は該システム・クロックから変換されたマスタ・クロックとしての基準ＤＳ１用リファレンス・クロックを選択するリファレンス・クロック選択部とすることができる。
【００７５】
すなわち、システム・クロック選択部及びリファレンス・クロック選択部が異常状態のとき、対向局に自局の送信フレームのクロックを対向局のマスタ・クロックとして使用禁止させることが出来る。
【００７６】
〔１５〕さらに本発明では、上記〔１〕から〔１４〕のいずれかにおいて、シンクロナイゼイション・メッセージ挿入部は、シンクロナイゼイション・メッセージを、送信フレームがＳＯＮＥＴ用であるときのオーバヘッド、又はＥＳＦ・ＤＳ１であるときのデータリンクに挿入することができる。
【００７７】
すなわち、ＳＯＮＥＴのオーバヘッド又はＥＳＦ・ＤＳ１のデータリンクを使用して、対向局に自局の送信フレームのクロックを対向局のマスタ・クロックとして使用禁止させることが出来る。
【００７８】
【発明の実施の形態】
〔１〕図７は本発明〔１〕に係るシンクロナイゼイション・メッセージ送信装置の実施例（１）を示しており、図１の原理図と異なる点は、クロック選択部１、信号送信部４、及び異常検出部１０として、それぞれ、ＳＯＮＥＴで使用されるマスタ・クロックとしてのシステム・クロックを選択するシステム・クロック選択部１ａ、ＳＯＮＥＴ信号送信部４ａ、及び未実装検出部１０ａが用いられていることである。
【００７９】
さらに、シンクロナイゼイション・メッセージ処理部２、シンクロナイゼイション・メッセージ挿入部３、及びＳＯＮＥＴ信号送信部４ａのいずれかに未実装検出部１０ａより未実装情報が与えられ、ＳＯＮＥＴ信号送信部４ａはシステム・クロック選択部１ａからシステム・クロックを与えられ、シンクロナイゼイション・メッセージ挿入部３からオーバヘッドを受け、ＳＯＮＥＴフレームとしてＯＣ−Ｎ／ＳＴＳ−Ｎフレームを送出している点が異なっている。
【００８０】
なお、この例においてはシンクロナイゼイション・メッセージ処理部２と未実装検出部１０ａはＣＰＵ部９に含まれている。従って、システム・クロック選択部１ａ、シンクロナイゼイション・メッセージ挿入部３、及びＳＯＮＥＴ信号送信部４ａは未実装検出部１０ａとマイコン・インタフェースを介して送受信する。
【００８１】
動作においては、まずシステム・クロック選択部１ａの未実装情報が未実装検出部１０ａからシンクロナイゼイション・メッセージ処理部２に与えられた場合の動作について説明する。
【００８２】
未実装情報を受けたシンクロナイゼイション・メッセージ処理部２は、シンクロナイゼイション・メッセージを「マスタ・クロックとして使用禁止」を意味するＤＵＳ（図５３参照）としてシンクロナイゼイション・メッセージ挿入部３に送出する。
【００８３】
このシンクロナイゼイション・メッセージを受信したシンクロナイゼイション・メッセージ挿入部３はオーバヘッドのＳ１バイトのビット５〜８に“１１１１”（ＤＵＳ）を挿入してＳＯＮＥＴ信号送信部４ａに与える。
【００８４】
この結果、ＳＯＮＥＴ信号送信部４ａは、オーバヘッドにマスタ・クロックとして使用することができないことを示すシンクロナイゼイション・メッセージ“ＤＵＳ”を含んだＯＣ−Ｎ／ＳＴＳ−Ｎフレームを対向局に送出して、このフレームをマスタ・クロックとして使用できないようにしている。
【００８５】
次に、システム・クロック選択部１ａの未実装情報が未実装検出部１０ａからシンクロナイゼイション・メッセージ挿入部３に与えられた場合について説明する。
【００８６】
未実装情報を受けたシンクロナイゼイション・メッセージ挿入部３は、シンクロナイゼイション・メッセージ処理部２からのシンクロナイゼイション・メッセージの内容に関わらず、オーバヘッドのＳ１バイトのビット５〜８に“１１１１”（ＤＵＳ）を挿入してＳＯＮＥＴ信号送信部４ａに与える。
【００８７】
この結果、ＳＯＮＥＴ信号送信部４ａは、オーバヘッドにシンクロナイゼイション・メッセージ“ＤＵＳ”を含んだＯＣ−Ｎ／ＳＴＳ−Ｎフレームを対向局に送出して、このフレームをマスタ・クロックとして使用できないようにしている。
【００８８】
さらに、システム・クロック選択部１ａの未実装情報が未実装検出部１０ａからＳＯＮＥＴ信号送信部４ａに与えられた場合においては、ＳＯＮＥＴ信号送信部４ａは、シンクロナイゼイション・メッセージ挿入部３から与えられたオーバヘッドのＳ１バイトのビット５〜８の内容に関わらず、ＯＣ−Ｎ／ＳＴＳ−Ｎフレームに含まれるオーバヘッドのＳ１バイトのビット５〜８を強制的に“１１１１”（ＤＵＳ）としてＯＣ−Ｎ／ＳＴＳ−Ｎフレームを対向局に送出し、このフレームをマスタ・クロックとして使用できないようにしている。
【００８９】
ここで、システム・クロック選択部１ａの未実装状態検出は、未実装検出部１０ａよりシステム・クロック選択部１ａがマイコン・インタフェース上で固有に持っているコードを読みに行き、固有のコードと同じであれば実装状態とし、固有のコード以外の例えば”００ｈ”や”ＦＦｈ”のコードが読めた時には未実装状態としている。
【００９０】
図８は本発明〔１〕に係るシンクロナイゼイション・メッセージ送信装置の実施例（２）を示しており、図７の実施例（１）と異なる点は、未実装検出部１０ａがシンクロナイゼイション・メッセージ処理部２に含まれていることと、シンクロナイゼイション・メッセージ処理部２はＣＰＵ部９に含まれていないことである。
【００９１】
動作においては、まずシステム・クロック選択部１ａの未実装状態が未実装検出部１０ａで検出されると、シンクロナイゼイション・メッセージ処理部２は、マスタ・クロックとして使用することができないことを示すシンクロナイゼイション・メッセージ“ＤＵＳ”をシンクロナイゼイション・メッセージ挿入部３に送出する。
【００９２】
このシンクロナイゼイション・メッセージ“ＤＵＳ”を受信したシンクロナイゼイション・メッセージ挿入部３はオーバヘッドのＳ１バイトのビット５〜８に“１１１１”（ＤＵＳ）を挿入してＳＯＮＥＴ信号送信部４ａに与える。
【００９３】
この結果、ＳＯＮＥＴ信号送信部４ａは、オーバヘッドにシンクロナイゼイション・メッセージ“ＤＵＳ”を含んだＯＣ−Ｎ／ＳＴＳ−Ｎフレームを対向局に送出して、このフレームをマスタ・クロックとして使用できないようにしている。
【００９４】
ここで、システム・クロック選択部１ａの未実装状態検出は、ハード制御線の信号レベルが例えば“ＬＯＷ”で実装状態、“ＨＩＧＨ”で未実装状態とする。
【００９５】
図９は本発明〔１〕に係るシンクロナイゼイション・メッセージ送信装置の実施例（３）を示しており、図８の実施例（２）と異なる点は、未実装検出部１０ａがシンクロナイゼイション・メッセージ処理部２の代わりにシンクロナイゼイション・メッセージ挿入部３に含まれていることである。
【００９６】
動作においては、システム・クロック選択部１ａの未実装状態が未実装検出部１０ａで検出されると、シンクロナイゼイション・メッセージ挿入部３は、シンクロナイゼイション・メッセージ処理部２からのシンクロナイゼイション・メッセージの内容に関わらず、オーバヘッドのＳ１バイトのビット５〜８に“１１１１”（ＤＵＳ）を挿入してＳＯＮＥＴ信号送信部４ａに与える。
【００９７】
この結果、ＳＯＮＥＴ信号送信部４ａは、オーバヘッドにシンクロナイゼイション・メッセージ“ＤＵＳ”を含んだＯＣ−Ｎ／ＳＴＳ−Ｎフレームを対向局に送出して、このフレームをマスタ・クロックとして使用できないようにしている。
【００９８】
図１０は本発明〔１〕に係るシンクロナイゼイション・メッセージ送信装置の実施例（４）を示しており、図８の実施例（２）と異なる点は、未実装検出部１０ａがシンクロナイゼイション・メッセージ処理部２の代わりにＳＯＮＥＴ信号送信部４ａに含まれていることである。
【００９９】
動作においては、まずシステム・クロック選択部１ａの未実装状態が未実装検出部１０ａで検出されると、ＳＯＮＥＴ信号送信部４ａは、シンクロナイゼイション・メッセージ挿入部３からのオーバヘッドのＳ１バイトにおけるビット５〜８の内容に関わらず、ＯＣ−Ｎ／ＳＴＳ−ＮフレームにおけるオーバヘッドのＳ１バイトにおけるビット５〜８を強制的に“１１１１”（ＤＵＳ）としてＯＣ−Ｎ／ＳＴＳ−Ｎフレームを送出し、このフレームをマスタ・クロックとして使用できないようにしている。
【０１００】
図１１は本発明〔１〕に係るシンクロナイゼイション・メッセージ送信装置の実施例（５）を示しており、図７の実施例（１）と異なる点は、未実装検出部１０ａの代わりに誤実装検出部１０ｂが用いられていることと、誤実装検出部１０ｂからの誤実装情報が、シンクロナイゼイション・メッセージ処理部２、シンクロナイゼイション・メッセージ挿入部３、及びＳＯＮＥＴ信号送信部４ａのいずれかに与えられていることである。
【０１０１】
動作においては、図７の実施例（１）の動作説明における、未実装検出部１０ａを誤実装検出部１０ｂに代え、未実装情報を誤実装情報に代えたときの動作と同様であリ、誤実装情報がシンクロナイゼイション・メッセージ処理部２、シンクロナイゼイション・メッセージ挿入部３、及びＳＯＮＥＴ信号送信部４ａのいずれかに与えられた場合においても、ＳＯＮＥＴ信号送信部４ａは、オーバヘッドにシンクロナイゼイション・メッセージ“ＤＵＳ”を含んだＯＣ−Ｎ／ＳＴＳ−Ｎフレームを対向局に送出して、このフレームをマスタ・クロックとして使用できないようにしている。
【０１０２】
なお、システム・クロック選択部１ａの誤実装状態検出は、誤実装検出部１０ｂよりシステム・クロック選択部１ａがマイコン・インタフェース上で固有に持っているコードを読みに行き、固有のコードと同じであれば正常実装状態とし、固有のコード以外で且つ未実装状態を示すコード以外のコードが読めた時に誤実装状態とする。
【０１０３】
図１２は本発明〔１〕に係るシンクロナイゼイション・メッセージ送信装置の実施例（６）を示しており、図８の実施例（２）と異なる点は、未実装検出部１０ａの代わりに誤実装検出部１０ｂが用いられていることである。
【０１０４】
動作においては、図８の実施例（２）の動作説明における、未実装検出部１０ａを誤実装検出部１０ｂに代え、未実装情報を誤実装情報に代えたときの動作と同様である。
【０１０５】
図１３は本発明〔１〕に係るシンクロナイゼイション・メッセージ送信装置の実施例（７）を示しており、図９の実施例（３）と異なる点は、未実装検出部１０ａの代わりに誤実装検出部１０ｂが用いられていることである。
【０１０６】
動作においては、図９の実施例（３）の動作説明における、未実装検出部１０ａを誤実装検出部１０ｂに代え、未実装情報を誤実装情報に代えたときの動作と同様である。
【０１０７】
図１４は本発明〔１〕に係るシンクロナイゼイション・メッセージ送信装置の実施例（８）を示しており、図１０の実施例（８）と異なる点は、未実装検出部１０ａの代わりに誤実装検出部１０ｂが用いられていることである。
【０１０８】
動作においては、図１０の実施例（４）の動作説明における、未実装検出部１０ａを誤実装検出部１０ｂに代え、未実装情報を誤実装情報に代えたときの動作と同様である。
【０１０９】
まとめると、図１２の実施例（６）、図１３の実施例（７）、及び図１４の実施例（８）においては、誤実装検出部１０ｂがシステム・クロック選択部１ａの誤実装状態を検出した場合、ＳＯＮＥＴ信号送信部４ａは、オーバヘッドにシンクロナイゼイション・メッセージ“ＤＵＳ”を含んだＯＣ−Ｎ／ＳＴＳ−Ｎフレームを対向局に送出して、このフレームをマスタ・クロックとして使用できないようにしている。
【０１１０】
図１５は本発明〔１〕に係るシンクロナイゼイション・メッセージ送信装置の実施例（９）を示しており、図７の実施例（１）と異なる点は、未実装検出部１０ａの代わりにユニット障害検出部１０ｃが用いられていることと、このユニット障害検出部１０ｃがＣＰＵ部８に含まれずにシステム・クロック選択部１ａに含まれていることである。
【０１１１】
さらに、シンクロナイゼイション・メッセージ処理部２、シンクロナイゼイション・メッセージ挿入部３、及びＳＯＮＥＴ信号送信部４ａのいずれかに、未実装情報が未実装検出部１０ａから与えられる代わりに、ユニット障害情報がユニット障害検出部１０ｃから与えられる点も異なっている。
【０１１２】
動作においては、図７の実施例（１）の動作説明における、未実装検出部１０ａをユニット障害検出部１０ｃに代え、未実装情報をユニット障害情報に代えたときの動作と同様である。
【０１１３】
すなわち、ユニット障害情報がシンクロナイゼイション・メッセージ処理部２、シンクロナイゼイション・メッセージ挿入部３、及びＳＯＮＥＴ信号送信部４ａのいずれかに与えられた場合において、ＳＯＮＥＴ信号送信部４ａは、オーバヘッドにシンクロナイゼイション・メッセージ“ＤＵＳ”を含んだＯＣ−Ｎ／ＳＴＳ−Ｎフレームを対向局に送出し、このフレームをマスタ・クロックとして使用できないようにしている。
【０１１４】
図１６は本発明〔１〕に係るシンクロナイゼイション・メッセージ送信装置の実施例（１０）を示しており、図１５の実施例（９）と異なる点は、シンクロナイゼイション・メッセージ処理部２がＣＰＵ部９に含まれていないことと、ユニット障害検出部１０ｃのユニット障害情報がシンクロナイゼイション・メッセージ処理部２のみに与えられていることである。
【０１１５】
動作においては、システム・クロック選択部１ａのユニット障害情報がユニット障害検出部１０ｃからシンクロナイゼイション・メッセージ処理部２に与えられた図１５の実施例（９）における場合と同様である。
【０１１６】
但し、図１５の実施例（９）においては、シンクロナイゼイション・メッセージ処理部２にはユニット障害情報はマイコン・インタフェースを介して与えられるが、この実施例（１０）においては、ユニット障害情報がハード制御線を介して与えられている。
【０１１７】
図１７は本発明〔１〕に係るシンクロナイゼイション・メッセージ送信装置の実施例（１１）を示しており、図１６の実施例（１０）と異なる点は、ユニット障害検出部１０ｃのユニット障害情報がシンクロナイゼイション・メッセージ挿入部３に与えられていることである。
【０１１８】
動作においては、図１５の実施例（９）における、システム・クロック選択部１ａのユニット障害情報がユニット障害検出部１０ｃからシンクロナイゼイション・メッセージ挿入部３に与えられた場合と同様である。
【０１１９】
図１８は本発明〔１〕に係るシンクロナイゼイション・メッセージ送信装置の実施例（１２）を示しており、図１６の実施例（１０）と異なる点は、ユニット障害検出部１０ｃのユニット障害情報がＳＯＮＥＴ信号送信部４ａに与えられていることである。
【０１２０】
動作においては、図１５の実施例（９）における、システム・クロック選択部１ａのユニット障害情報がユニット障害検出部１０ｃからＳＯＮＥＴ信号送信部４ａに与えられた場合と同様である。
【０１２１】
まとめると、図１６〜１８にそれぞれ示した実施例（１０）〜（１２）においては、ＳＯＮＥＴ信号送信部４ａはオーバヘッドにマスタ・クロックとして使用することができないことを示すシンクロナイゼイション・メッセージ“ＤＵＳ”を含んだＯＣ−Ｎ／ＳＴＳ−Ｎフレームを送出し、このシンクロナイゼイション・メッセージ“ＤＵＳ”を受信した対向局はＯＣ−Ｎ／ＳＴＳ−Ｎフレームをマスタ・クロックとして採用しないこととなる。
【０１２２】
図１９は本発明〔１〕に係るシンクロナイゼイション・メッセージ送信装置の実施例（１３）を示しており、図７の実施例（１）と異なる点は、システム・クロック選択部１ａ及びＳＯＮＥＴ信号送信部４ａの代わりに、それぞれ、ＥＳＦ・ＤＳ１で使用されるマスタ・クロックとしてのリファレンス・クロックを選択するリファレンス・クロック選択部１ｂ及び基準(Derived）ＤＳ１信号送信部４ｂが用いられていることである。
【０１２３】
さらに、基準ＤＳ１信号送信部４ｂはシンクロナイゼイション・メッセージ挿入部３からＳＯＮＥＴオーバヘッドの代わりにＥＳＦ・ＤＳ１データリンクが与えられるとともに、リファレンス・クロック選択部１ｂからシステム・クロックの代わりにリファレンス・クロックが与えられ、ＯＣ−Ｎ／ＳＴＳ−Ｎフレームの代わりにＥＳＦ・ＤＳ１フレームを送出する点も異なっている。
【０１２４】
動作においては、まずリファレンス・クロック選択部１ｂの未実装情報が未実装検出部１０ａからシンクロナイゼイション・メッセージ処理部２に与えられた場合の動作について説明する。
【０１２５】
未実装情報を受けたシンクロナイゼイション・メッセージ処理部２は、マスタ・クロックとして使用することができないことを示すシンクロナイゼイション・メッセージ“ＤＵＳ”をシンクロナイゼイション・メッセージ挿入部３に送出する。
【０１２６】
このシンクロナイゼイション・メッセージ“ＤＵＳ”を受信したシンクロナイゼイション・メッセージ挿入部３はＥＳＦ・ＤＳ１データリンクに「リファレンス・クロックとしての使用禁止」を意味する予め決められたビット列“００１１００００１１１１１１１１”（ＤＵＳ）を挿入して基準ＤＳ１信号送信部４ｂに与え、基準ＤＳ１信号送信部４ｂは対向局へこのデータリンク（ＤＵＳ）を含んだＥＳＦ・ＤＳ１フレームを送出する。
【０１２７】
このシンクロナイゼイション・メッセージ“ＤＵＳ”を受信した対向局はＥＳＦ・ＤＳ１フレームのクロック（リファレンス・クロック）をマスタ・クロックとして採用しないこととなる。
【０１２８】
次に、リファレンス・クロック選択部１ｂの未実装情報が未実装検出部１０ａからシンクロナイゼイション・メッセージ挿入部３に与えられた場合について説明する。
【０１２９】
未実装情報を受けたシンクロナイゼイション・メッセージ挿入部３は、シンクロナイゼイション・メッセージ処理部２からのシンクロナイゼイション・メッセージの内容に関わらず、ＥＳＦ・ＤＳ１データリンクに「リファレンス・クロックとしての使用禁止」を意味する予め決められたビット列“００１１００００１１１１１１１１”（ＤＵＳ）を挿入して基準ＤＳ１信号送信部４ｂに与え、基準ＤＳ１信号送信部４ｂは対向局へこのデータリンクを含んだＥＳＦ・ＤＳ１フレームを送出する。
【０１３０】
このシンクロナイゼイション・メッセージ“ＤＵＳ”を受信した対向局はＥＳＦ・ＤＳ１フレームのクロックをマスタ・クロックとして採用しないこととなる。
【０１３１】
さらに、リファレンス・クロック選択部１ｂの未実装情報が未実装検出部１０ａから基準ＤＳ１信号送信部４ｂに与えられた場合においては、基準ＤＳ１信号送信部４ｂは、シンクロナイゼイション・メッセージ挿入部３からのデータリンクのデータ内容に関わらず、ＥＳＦ・ＤＳ１フレームにおけるデータリンクを強制的に所定ビット列“００１１００００１１１１１１１１”（ＤＵＳ）としてＥＳＦ・ＤＳ１フレームを送出する。
【０１３２】
このシンクロナイゼイション・メッセージ“ＤＵＳ”を受信した対向局はＥＳＦ・ＤＳ１フレームのクロックをマスタ・クロックとして採用しないこととなる。
【０１３３】
なお、リファレンス・クロック選択部１ｂの未実装状態の検出方法は、システム・クロック選択部１ａの未実装状態の検出の場合と同様である。
【０１３４】
図２０は本発明〔１〕に係るシンクロナイゼイション・メッセージ送信装置の実施例（１４）を示しており、図１９の実施例（１３）と異なる点は、未実装検出部１０ａがシンクロナイゼイション・メッセージ処理部２に含まれていることである。
【０１３５】
さらに、リファレンス・クロック選択部１ｂの未実装状態はマイコン・インタフェースを介して検出される代わりに、ハード制御線を介して未実装検出部１０ａにおいて検出されることも異なっている。
【０１３６】
動作においては、リファレンス・クロック選択部１ｂの未実装状態が未実装検出部１０ａで検出されると、シンクロナイゼイション・メッセージ処理部２は、マスタ・クロックとして使用することができないことを示すシンクロナイゼイション・メッセージ“ＤＵＳ”をシンクロナイゼイション・メッセージ挿入部３に送出する。
【０１３７】
このシンクロナイゼイション・メッセージ“ＤＵＳ”を受けたシンクロナイゼイション・メッセージ挿入部３及び基準ＤＳ１信号送信部４ｂの以後の動作は図１９の実施例（１３）の場合と同様である。
【０１３８】
この結果、基準ＤＳ１信号送信部４ｂは対向局へデータリンクＤＵＳを含んだＥＳＦ・ＤＳ１フレームを送出し、このフレームをマスタ・クロックとして使用できないようにしている。
【０１３９】
図２１は本発明〔１〕に係るシンクロナイゼイション・メッセージ送信装置の実施例（１５）を示しており、図２０の実施例（１４）と異なる点は、未実装検出部１０ａがシンクロナイゼイション・メッセージ挿入部３に含まれていることである。
【０１４０】
動作においては、リファレンス・クロック選択部１ｂの未実装状態が未実装検出部１０ａで検出されると、シンクロナイゼイション・メッセージ挿入部３は、シンクロナイゼイション・メッセージ処理部２からのシンクロナイゼイション・メッセージの内容に関わらず、ＥＳＦ・ＤＳ１データリンクに「リファレンス・クロックとしての使用禁止」を意味する予め決められたビット列“００１１００００１１１１１１１１”（ＤＵＳ）を挿入して基準ＤＳ１信号送信部４ｂに与える。
【０１４１】
基準ＤＳ１信号送信部４ｂは対向局へデータリンクＤＵＳを含んだＥＳＦ・ＤＳ１フレームを送出し、このフレームをマスタ・クロックとして使用できないようにしている。
【０１４２】
図２２は本発明〔１〕に係るシンクロナイゼイション・メッセージ送信装置の実施例（１６）を示しており、図２０の実施例（１４）と異なる点は、未実装検出部１０ａが基準ＤＳ１信号送信部４ｂに含まれていることである。
【０１４３】
リファレンス・クロック選択部１ｂの未実装状態が未実装検出部１０ａで検出されると、基準ＤＳ１信号送信部４ｂは、シンクロナイゼイション・メッセージ挿入部３からのデータリンクのデータ内容に関わらず、ＥＳＦ・ＤＳ１フレームにおけるデータリンクを強制的に所定ビット列“００１１００００１１１１１１１１”（ＤＵＳ）に変更してＥＳＦ・ＤＳ１フレームを送出し、このフレームをマスタ・クロックとして使用できないようにしている。
【０１４４】
図２３は本発明〔１〕に係るシンクロナイゼイション・メッセージ送信装置の実施例（１７）を示しており、図１９の実施例（１３）と異なる点は、未実装検出部１０ａの代わりに、リファレンス・クロック選択部１ｂの誤実装状態を検出する誤実装検出部１０ｂが設けられていることである。
【０１４５】
さらに、誤実装情報が誤実装検出部１０ｂよりシンクロナイゼイション・メッセージ処理部２、シンクロナイゼイション・メッセージ挿入部３、及び基準ＤＳ１信号送信部４ｂのいずれかに与えられていることである。
【０１４６】
動作においては、図１９の実施例（１３）の動作説明における、未実装検出部１０ａ及び未実装情報を、それぞれ誤実装検出部１０ｂ及び誤実装情報に代えたときの動作と同様であり、誤実装情報がシンクロナイゼイション・メッセージ処理部２、シンクロナイゼイション・メッセージ挿入部３、及び基準ＤＳ１信号送信部４ｂのいずれかに与えられた場合においても、基準ＤＳ１信号送信部４ｂは、データリンクにシンクロナイゼイション・メッセージ“ＤＵＳ”を含んだＥＳＦ／ＤＳ１フレームを対向局に送出し、このフレームをマスタ・クロックとして使用できないようにしている。
【０１４７】
なお、誤実装検出部１０ｂによるリファレンス・クロック選択部１ｂの誤実装状態検出動作は、図１１の実施例（５）におけるシステム・クロック選択部１ａの誤実装状態検出の動作と同様である。
【０１４８】
図２４、２５、及び２６は、それぞれ本発明〔１〕に係るシンクロナイゼイション・メッセージ送信装置の実施例（１８）、（１９）、及び（２０）を示しており、それぞれ、図２０の実施例（１４）、図２１の実施例（１５）、及び図２２の実施例（１６）と異なる点は、未実装検出部１０ａの代わりに誤実装検出部１０ｂが用いられていることである。
【０１４９】
動作においては、それぞれ、図２０の実施例（１４）、図２１の実施例（１５）、及び図２２の実施例（１６）の動作説明における、未実装検出部１０ａを誤実装検出部１０ｂに代え、未実装情報を誤実装情報に代えたときの動作と同様である。
【０１５０】
まとめると、図２４の実施例（１８）、図２５の実施例（１９）、及び図２６の実施例（２０）においては、誤実装検出部１０ｂがリファレンス・クロック選択部１ｂの誤実装状態を検出した場合、基準ＤＳ１信号送信部４ｂはデータリンクに“ＤＵＳ”を乗せたＥＳＦ・ＤＳ１フレームを対向局に送出し、このフレームをマスタ・クロックとして使用できないようにしている。
【０１５１】
図２７は本発明〔１〕に係るシンクロナイゼイション・メッセージ送信装置の実施例（２１）を示しており、図１９の実施例（１３）と異なる点は、未実装検出部１０ａの代わりにユニット障害検出部１０ｃ用いられていることと、このユニット障害検出部１０ｃがＣＰＵ部９に含まれずにリファレンス・クロック選択部１ｂに含まれている点である。
【０１５２】
さらに、シンクロナイゼイション・メッセージ処理部２、シンクロナイゼイション・メッセージ挿入部３、及び基準ＤＳ１信号送信部４ｂのいずれかに未実装情報の代わりにユニット障害情報がユニット障害検出部１０ｃから与えられる点も異なっている。
【０１５３】
動作においては、リファレンス・クロック選択部１ｂのユニット障害情報がユニット障害検出部１０ｃからシンクロナイゼイション・メッセージ処理部２、シンクロナイゼイション・メッセージ挿入部３、及び基準ＤＳ１信号送信部４ｂのいずれかに与えられた場合の動作は、それぞれ、図１９の実施例（１３）における、リファレンス・クロック選択部１ｂの未実装情報が未実装検出部１０ｂからシンクロナイゼイション・メッセージ処理部２、シンクロナイゼイション・メッセージ挿入部３、及び基準ＤＳ１信号送信部４ｂに与えられた場合の動作説明における、未実装検出部１０ａをユニット障害検出部１０ｃに代え、未実装情報をユニット障害情報に代えたときの動作と同様である。
【０１５４】
この結果、基準ＤＳ１信号送信部４ｂは、データリンクにシンクロナイゼイション・メッセージ“ＤＵＳ”を含んだＥＳＦ・ＤＳ１フレームを対向局に送出して、このフレームをマスタ・クロックとして使用できないようにしている。
【０１５５】
図２８、２９、及び３０は本発明〔１〕に係るシンクロナイゼイション・メッセージ送信装置の実施例（２２）、（２３）、及び（２４）をそれぞれ示しており、図２７の実施例（２１）と異なる点は、シンクロナイゼイション・メッセージ処理部２がＣＰＵ部９に含まれていないことと、ユニット障害検出部１０ｃのユニット障害情報が、それぞれシンクロナイゼイション・メッセージ処理部２、シンクロナイゼイション・メッセージ挿入部３、及び基準ＤＳ１信号送信部４ｂのいずれかのみに与えられていることである。
【０１５６】
動作においては、図２７の実施例（２１）における、ユニット障害検出部１０ｃからリファレンス・クロック選択部１ｂのユニット障害情報が、それぞれ、シンクロナイゼイション・メッセージ処理部２、シンクロナイゼイション・メッセージ挿入部３、及び基準ＤＳ１信号送信部４ｂのいずれかに与えられた場合と同様である。
【０１５７】
この結果、図２８〜３０の実施例（２２）〜（２４）において、基準ＤＳ１信号送信部４ｂはマスタ・クロックとして使用することができないことを示すシンクロナイゼイション・メッセージ“ＤＵＳ”をデータリンクに含んだＥＳＦ・ＤＳ１フレームを送出し、対向局がこのフレームをマスタ・クロックとして使用できなくしているする。
【０１５８】
なお、図２７の実施例（２１）においては、シンクロナイゼイション・メッセージ処理部２にはユニット障害情報がマイコン・インタフェースを介して与えられるが、図２８の実施例（２２）、図２９の実施例（２３）、及び図３０の実施例（２４）においては、ユニット障害情報がハード制御線を介し与えられている。
【０１５９】
〔２〕図３１は図２に原理的に示した本発明〔２〕に係るシンクロナイゼイション・メッセージ送信装置の実施例（１）を示しており、この実施例では、クロック選択部１、信号送信部４、及び信号受信部５として、それぞれ、システム・クロック選択部１ａ、ＳＯＮＥＴ信号送信部４ａ、及びＳＯＮＥＴ信号／基準ＤＳ１信号受信部５が用いられている。
【０１６０】
さらに、ＳＯＮＥＴ信号送信部４ａはマスタ・クロックとしてシステム・クロック選択部１ａからシステム・クロックが与えられ、フレームとしてシンクロナイゼイション・メッセージ挿入部３からオーバヘッドが与えられ、ＳＯＮＥＴ信号送信部４ａは対向局に送信フレームとしてＳＯＮＥＴフレームのＯＣ−Ｎ／ＳＴＳ−Ｎフレームを送出している。
【０１６１】
ＳＯＮＥＴ信号／基準ＤＳ１信号受信部５はシンクロナイゼイション・メッセージとして、オーバヘッド／データリンク内のシンクロナイゼイション・メッセージをシンクロナイゼイション・メッセージ検出部６に与えている。
【０１６２】
また、シンクロナイゼイション・メッセージ比較部７の比較情報はこの実施例ではシンクロナイゼイション・メッセージ処理部２のみに与えられている。
【０１６３】
なお、シンクロナイゼイション・メッセージ比較部７とシンクロナイゼイション・メッセージ処理部２は、この実施例においてはＣＰＵ部９に含まれている。
【０１６４】
動作においては、ＳＯＮＥＴ信号／基準ＤＳ１信号受信部５は入力信号ＯＣ−Ｎ、ＳＴＳ−Ｎ又はＥＳＦ・ＤＳ１フレームを受信すると、シンクロナイゼイション・メッセージ検出部６はこれらのフレーム内のオーバヘッド又はデータリンクに含まれるシンクロナイゼイション・メッセージを検出する。
【０１６５】
シンクロナイゼイション・メッセージ比較部７は検出された受信シンクロナイゼイション・メッセージが示す受信フレームのクロックの品質と内部クロックの品質とを比較して比較情報をシンクロナイゼイション・メッセージ処理部２に与える。
【０１６６】
比較情報を受けたシンクロナイゼイション・メッセージ処理部２は、受信したフレームのシンクロナイゼイション・メッセージが示す品質が内部クロックの品質より低い場合には、マスタ・クロックとして使用することができないことを示す送信シンクロナイゼイション・メッセージ“ＤＵＳ”をシンクロナイゼイション・メッセージ挿入部３に送出する。
【０１６７】
シンクロナイゼイション・メッセージ挿入部３はオーバヘッドのＳ１バイトのビット５〜８に“１１１１”（ＤＵＳ）を挿入してＳＯＮＥＴ信号送信部４ａに与え、信号送信部４はこのマスタ・クロックとして使用することができないことを示すシンクロナイゼイション・メッセージ“ＤＵＳ”をＯＣ−Ｎ／ＳＴＳ−Ｎフレームを対向局へ送出し、対向局がこのフレームをマスタ・クロックとして使用できなくする。
【０１６８】
図３２は本発明〔２〕に係るシンクロナイゼイション・メッセージ送信装置の実施例（２）を示しており、図３１の実施例（１）と異なる点は、比較情報がシンクロナイゼイション・メッセージ処理部２の代わりに、シンクロナイゼイション・メッセージ挿入部３にシンクロナイゼイション・メッセージ比較部７から与えられている点である。
【０１６９】
さらに、シンクロナイゼイション・メッセージ比較部７からアラーム信号がＣＰＵ部９に与えられていることと、シンクロナイゼイション・メッセージ処理部２及びシンクロナイゼイション・メッセージ比較部７がＣＰＵ部９に含まれていないことも異なっている。
【０１７０】
動作においては、ＳＯＮＥＴ信号／基準ＤＳ１信号受信部５とシンクロナイゼイション・メッセージ検出部６の動作と、シンクロナイゼイション・メッセージ比較部７がシンクロナイゼイション・メッセージを受けて、内部クロックと比較する動作は、図３１の実施例（１）の動作と同様である。
【０１７１】
つぎに、シンクロナイゼイション・メッセージ比較部７は比較情報をシンクロナイゼイション・メッセージ挿入部に与えるとともに、内部クロックの品質レベルが高い場合はＣＰＵ部にアラーム信号を送る。
【０１７２】
比較情報を受けたシンクロナイゼイション・メッセージ挿入部３は、受信シンクロナイゼイション・メッセージが示すクロックの品質が内部クロックの品質より低い場合には、シンクロナイゼイション・メッセージ処理部２からのシンクロナイゼイション・メッセージの内容に関らず、オーバヘッドのＳ１バイトのビット５〜８に“１１１１”（ＤＵＳ）を挿入してＳＯＮＥＴ信号送信部４ａに与える。
【０１７３】
このＳＯＮＥＴ信号送信部４ａは、オーバヘッドにシンクロナイゼイション・メッセージ“ＤＵＳ”を含んだＯＣ−Ｎ／ＳＴＳ−Ｎフレームを対向局に送出して、このフレームをマスタ・クロックとして使用できないようにしている。
【０１７４】
図３３は本発明〔２〕に係るシンクロナイゼイション・メッセージ送信装置の実施例（３）を示しており、図３２の実施例（２）と異なる点は、比較情報がシンクロナイゼイション・メッセージ挿入部３の代わりにＳＯＮＥＴ信号送信部４ａに与えられている点である。
【０１７５】
動作においては、比較情報を受けたＳＯＮＥＴ信号送信部４ａは、受信シンクロナイゼイション・メッセージが示すクロックの品質が内部クロックの品質より低い場合、シンクロナイゼイション・メッセージ挿入部３からの送信シンクロナイゼイション・メッセージの内容に関わらず、ＯＣ−Ｎ／ＳＴＳ−ＮフレームにおけるオーバヘッドのＳ１バイトのビット５〜８を強制的に“１１１１”（ＤＵＳ）と変更してＯＣ−Ｎ／ＳＴＳ−Ｎフレームを送出する。
【０１７６】
このシンクロナイゼイション・メッセージ“ＤＵＳ”を受信した対向局は該ＥＳＦ・ＤＳ１フレームのクロックをリファレンス・クロックとして採用しないこととなる。
【０１７７】
図３４は本発明〔２〕に係るシンクロナイゼイション・メッセージ送信装置の実施例（１）を示しており、図３１の実施例（１）と異なる点は、システム・クロック選択部１ａ、及びＳＯＮＥＴ信号送信部４ａの代わりに、それぞれ、リファレンス・クロック選択部１ｂ、及び基準ＤＳ１信号送信部４ｂが用いられている点である。
【０１７８】
基準ＤＳ１信号送信部４ｂはシステム・クロックの代わりに、リファレンス・クロック選択部１ｂからリファレンス・クロックが与えられ、オーバヘッドの代わりにシンクロナイゼイション・メッセージ挿入部３からデータリンクが与えられている点も異なっている。
【０１７９】
さらに、基準ＤＳ１信号送信部４ｂはシンクロナイゼイション・メッセージ挿入部３からオーバヘッドの代わりにデータリンクを受けるとことともに、対向局に送信フレームとしてＥＳＦ・ＤＳ１フレームを送出している。
【０１８０】
動作においては、ＳＯＮＥＴ信号／基準ＤＳ１信号受信部５、シンクロナイゼイション・メッセージ検出部６、シンクロナイゼイション・メッセージ比較部７、及びシンクロナイゼイション・メッセージ処理部２の動作は、図３１の実施例（１）の動作と同様である。
【０１８１】
すなわち、受信シンクロナイゼイション・メッセージが示すクロックの品質が内部クロックの品質より低い場合、シンクロナイゼイション・メッセージ処理部２はシンクロナイゼイション・メッセージ“ＤＵＳ”をシンクロナイゼイション・メッセージ挿入部３に与える。
【０１８２】
このシンクロナイゼイション・メッセージ挿入部３はＥＳＦ・ＤＳ１データリンクに「リファレンス・クロックとしての使用禁止」を意味する予め決められたビット列“００１１００００１１１１１１１１”（ＤＵＳ）を挿入して基準ＤＳ１信号送信部４ｂに与える。
【０１８３】
基準ＤＳ１信号送信部４ｂは対向局へデータリンクＤＵＳを含んだＥＳＦ・ＤＳ１フレームを送出し、このフレームをマスタ・クロックとして使用できないようにしている。
【０１８４】
図３５は本発明〔２〕に係るシンクロナイゼイション・メッセージ送信装置の実施例（５）を示しており、図３４の実施例（４）と異なる点は、比較情報がシンクロナイゼイション・メッセージ処理部２の代わりに、シンクロナイゼイション・メッセージ挿入部３にシンクロナイゼイション・メッセージ比較部７から与えられている点である。
【０１８５】
なお、シンクロナイゼイション・メッセージ比較部７からアラーム信号がＣＰＵ部９に与えられており、また、シンクロナイゼイション・メッセージ処理部２及びシンクロナイゼイション・メッセージ比較部７はＣＰＵ部９に含まれていない。
【０１８６】
動作においては、ＳＯＮＥＴ信号／基準ＤＳ１信号受信部５とシンクロナイゼイション・メッセージ検出部６の動作と、シンクロナイゼイション・メッセージ比較部７がシンクロナイゼイション・メッセージを受けて、内部クロックと比較する動作は、図３４の実施例（４）の場合と同様である。
【０１８７】
比較動作の後、シンクロナイゼイション・メッセージ比較部７は比較情報をシンクロナイゼイション・メッセージ挿入部に与えるとともに、受信シンクロナイゼイション・メッセージが示すクロックの品質が内部クロックの品質より低い場合は、ＣＰＵ部にアラーム信号を送る。
【０１８８】
比較情報を受けたシンクロナイゼイション・メッセージ挿入部３は、受信シンクロナイゼイション・メッセージが示すクロックの品質が内部クロックの品質より低い場合には、シン
クロナイゼイション・メッセージ処理部２からのシンクロナイゼイション・メッセージの内容に関らず、ＥＳＦ・ＤＳ１データリンクに「リファレンス・クロックとしての使用禁止」を意味する予め決められたビット列“００１１００００１１１１１１１１”（ＤＵＳ）を挿入して基準ＤＳ１信号送信部４ｂに与える。
【０１８９】
基準ＤＳ１信号送信部４ｂは対向局へデータリンクＤＵＳを含んだＥＳＦ・ＤＳ１フレームを送出し、このフレームをマスタ・クロックとして使用できないようにしている。
【０１９０】
図３６は本発明〔２〕に係るシンクロナイゼイション・メッセージ送信装置の実施例（６）を示しており、図３５の実施例（５）と異なる点は、比較情報がシンクロナイゼイション・メッセージ挿入部３の代わりにＳＯＮＥＴ信号送信部４ａに与えられている点である。
【０１９１】
動作においては、比較情報を受けた基準ＤＳ１信号送信部４ｂ、受信シンクロナイゼイション・メッセージが示すクロックの品質が内部クロックの品質より低い場合、シンクロナイゼイション・メッセージ挿入部３からの送信シンクロナイゼイション・メッセージの内容に関わらず、ＥＳＦ・ＤＳ１データリンクに「リファレンス・クロックとしての使用禁止」を意味する予め決められたビット列“００１１００００１１１１１１１１”（ＤＵＳ）を挿入して基準ＤＳ１信号送信部４ｂに与える。
【０１９２】
基準ＤＳ１信号送信部４ｂは対向局へデータリンクＤＵＳを含んだＥＳＦ・ＤＳ１フレームを送出し、このフレームをマスタ・クロックとして使用できないようにしている。
【０１９３】
〔３〕図３７は図３に原理的に示した本発明〔３〕に係るシンクロナイゼイション・メッセージ送信装置の実施例（１）を示しており、この実施例では、信号送信部４及び異常検出部１０として、それぞれ、ＳＯＮＥＴ信号送信部４ａ及び未実装検出部１０ａが用いられている。
【０１９４】
さらに、ＳＯＮＥＴ信号送信部４ａは未実装検出部１０ａから異常情報として、未実装情報が与えられること、シンクロナイゼイション・メッセージ挿入部３からオーバヘッドを受けること、及び送信フレームとして、ＯＣ−Ｎ／ＳＴＳ−Ｎフレームを送出している。
【０１９５】
なお、この例においては未実装検出部１０ａはＣＰＵ部９に含まれている。従って、シンクロナイゼイション・メッセージ挿入部３、及びＳＯＮＥＴ信号送信部４ａは未実装検出部１０ａとマイコン・インタフェースを介して送受信する。
【０１９６】
動作においては、シンクロナイゼイション・メッセージ挿入部３の未実装情報が未実装検出部１０ａからＳＯＮＥＴ信号送信部４ａに与えられ、このＳＯＮＥＴ信号送信部４ａは、シンクロナイゼイション・メッセージ挿入部３から与えられたオーバヘッドのＳ１バイトのビット５〜８の内容に関わらず、ＯＣ−Ｎ／ＳＴＳ−Ｎフレームに含まれるオーバヘッドのＳ１バイトのビット５〜８を強制的に“１１１１”（ＤＵＳ）としてＯＣ−Ｎ／ＳＴＳ−Ｎフレームを対向局に送出し、このフレームをマスタ・クロックとして使用できないようにしている。
【０１９７】
ここで、シンクロナイゼイション・メッセージ挿入部３の未実装状態検出は、未実装検出部１０ａよりシンクロナイゼイション・メッセージ挿入部３がマイコン・インタフェース上で固有に持っているコードを読みに行き、固有のコードと同じであれば実装状態とし、固有のコード以外の例えば”００ｈ”や”ＦＦｈ”のコードが読めた時には未実装状態としている。
【０１９８】
図３８は本発明〔３〕に係るシンクロナイゼイション・メッセージ送信装置の実施例（２）を示しており、図３７の実施例（１）と異なる点は、未実装検出部１０ａがシンクロナイゼイション・メッセージ処理部２に含まれていることである。
【０１９９】
動作においては、まずシンクロナイゼイション・メッセージ挿入部３の未実装状態が未実装検出部１０ａで検出されると、シンクロナイゼイション・メッセージ処理部２は、未実装情報をＳＯＮＥＴ信号送信部４ａに与える。
【０２００】
このＳＯＮＥＴ信号送信部４ａは、シンクロナイゼイション・メッセージ挿入部３から受けたオーバヘッドの内容に関らず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２０１】
ここで、シンクロナイゼイション・メッセージ挿入部３の未実装状態検出は、ハード制御線の信号レベルが例えば“ＬＯＷ”で実装状態、“ＨＩＧＨ”で未実装状態とする。
【０２０２】
図３９は本発明〔３〕に係るシンクロナイゼイション・メッセージ送信装置の実施例（３）を示しており、図３８の実施例（２）と異なる点は、未実装検出部１０ａがシンクロナイゼイション・メッセージ処理部２の代わりにＳＯＮＥＴ信号送信部４ａに含まれていることである。
【０２０３】
動作においては、シンクロナイゼイション・メッセージ挿入部３の未実装状態が未実装検出部１０ａで検出されると、ＳＯＮＥＴ信号送信部４ａは、シンクロナイゼイション・メッセージ挿入部３からのオーバヘッドのＳ１バイトにおけるビット５〜８の内容に関わらず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２０４】
図４０は本発明〔３〕に係るシンクロナイゼイション・メッセージ送信装置の実施例（４）を示しており、図３７の実施例（１）と異なる点は、未実装検出部１０ａの代わりに誤実装検出部１０ｂが用いられている点と、誤実装検出部１０ｂからの誤実装情報が、ＳＯＮＥＴ信号送信部４ａに与えられている点である。
【０２０５】
動作においては、シンクロナイゼイション・メッセージ挿入部３の誤実装状態が誤実装検出部１０ｂで検出されると、ＳＯＮＥＴ信号送信部４ａは、シンクロナイゼイション・メッセージ挿入部３からのオーバヘッドのＳ１バイトのビット５〜８の内容に関わらず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２０６】
なお、シンクロナイゼイション・メッセージ挿入部３の誤実装状態検出は、誤実装検出部１０ｂよりシステム・クロック選択部１ａがマイコン・インタフェース上で固有に持っているコードを読みに行き、固有のコードと同じであれば正常実装状態とし、固有のコード以外で且つ未実装状態を示すコード以外のコードが読めた時に誤実装状態とする。
【０２０７】
図４１は本発明〔３〕に係るシンクロナイゼイション・メッセージ送信装置の実施例（５）を示しており、図３８の実施例（２）と異なる点は、未実装検出部１０ａの代わりに誤実装検出部１０ｂが用いられていることである。
【０２０８】
動作においては、シンクロナイゼイション・メッセージ挿入部３の誤実装状態が誤実装検出部１０ｂで検出されると、誤実装情報がＳＯＮＥＴ信号送信部４ａに送られる。
【０２０９】
ＳＯＮＥＴ信号送信部４ａは、シンクロナイゼイション・メッセージ挿入部３からのオーバヘッドのＳ１バイトのビット５〜８の内容に関わらず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２１０】
ここで、シンクロナイゼイション・メッセージ挿入部３の誤実装状態検出は、ハード制御線の信号レベルが例えば“ＬＯＷ”で正常実装状態、“ＨＩＧＨ”で誤実装状態とする。
【０２１１】
図４２は本発明〔３〕に係るシンクロナイゼイション・メッセージ送信装置の実施例（６）を示しており、図３９の実施例（３）と異なる点は、未実装検出部１０ａの代わりに誤実装検出部１０ｂが用いられていることである。
【０２１２】
動作においては、シンクロナイゼイション・メッセージ挿入部３の誤実装状態が誤実装検出部１０ｂで検出されると、ＳＯＮＥＴ信号送信部４ａは、シンクロナイゼイション・メッセージ挿入部３からのオーバヘッドのＳ１バイトのビット５〜８の内容に関わらず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２１３】
図４３は本発明〔３〕に係るシンクロナイゼイション・メッセージ送信装置の実施例（７）を示しており、図３７の実施例（１）と異なる点は、未実装検出部１０ａの代わりにユニット障害検出部１０ｃが用いられている点と、このユニット障害検出部１０ｃがＣＰＵ部８に含まれずにシンクロナイゼイション・メッセージ挿入部３に含まれている点である。
【０２１４】
さらに、ユニット障害検出部１０ｃからユニット障害情報がＣＰＵ部９に与えられ、このＣＰＵ部９はこの情報をマイコン・インタフェース又はハード制御線を介してＳＯＮＥＴ信号送信部４ａに与えている点である。
【０２１５】
動作においては、シンクロナイゼイション・メッセージ挿入部３のユニット障害状態がユニット障害検出部１０ｃで検出され、ユニット障害情報がＣＰＵ部９を介してＳＯＮＥＴ信号送信部４ａに与えられると、このＳＯＮＥＴ信号送信部４ａは、シンクロナイゼイション・メッセージ挿入部３からのオーバヘッドのＳ１バイトのビット５〜８の内容に関わらず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２１６】
図４４は本発明〔３〕に係るシンクロナイゼイション・メッセージ送信装置の実施例（８）を示しており、図４３の実施例（７）と異なる点は、ユニット障害検出部１０ｃからのユニット障害情報がＣＰＵ部９を介さずに直接ＳＯＮＥＴ信号送信部４ａに与えられていることである。
【０２１７】
動作においては、シンクロナイゼイション・メッセージ挿入部３のユニット障害状態がユニット障害検出部１０ｃで検出されると、ＳＯＮＥＴ信号送信部４ａは、シンクロナイゼイション・メッセージ挿入部３からのオーバヘッドのＳ１バイトのビット５〜８の内容に関わらず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２１８】
〔４〕図４５は図４に原理的に示した本発明〔４〕に係るシンクロナイゼイション・メッセージ送信装置の実施例を示しており、この実施例では、監視・制御部９及び信号送信部４として、それぞれ、ＣＰＵ部９及びＳＯＮＥＴ信号送信部４ａが用いられている。
【０２１９】
さらに、ＳＯＮＥＴ信号送信部４ａは送信フレームとしてＳＯＮＥＴフレームのＯＣ−Ｎ／ＳＴＳ−Ｎを送出している。
【０２２０】
動作においては、ユーザがＣＰＵ部９を介してがシンクロナイゼイション・メッセージ挿入部３をＯＯＳ設定すると、ＣＰＵ部９はシンクロナイゼイション・メッセージ挿入部３がＯＯＳ設定された情報をＳＯＮＥＴ信号送信部４ａに与える。
【０２２１】
この情報を受けたＳＯＮＥＴ信号送信部４ａは、シンクロナイゼイション・メッセージ挿入部３からのオーバヘッドのＳ１バイトの内容に関わらず、オーバヘッドのＳ１バイトのビット５〜８を強制的に“１１１１”（ＤＵＳ）としてＯＣ−Ｎ／ＳＴＳ−Ｎフレームを送出し、このフレームをマスタ・クロックとして使用できないようにしている。
【０２２２】
〔５〕図４６は図５に原理的に示した本発明〔５〕に係るシンクロナイゼイション・メッセージ送信装置の実施例を示しており、この実施例では、信号送信部４として，ＳＯＮＥＴ信号送信部４ａ、又は基準ＤＳ１信号送信部４ｂ（図４６では符号「４」で総称している）が用いられている点である。
【０２２３】
動作においては、ユニット障害検出部１０ｃが送信部４（ＳＯＮＥＴ信号送信部４ａ又は基準ＤＳ１信号送信部４ｂ）でユニット障害を検出すると、シンクロナイゼイション・メッセージ挿入部３からのシンクロナイゼイション・メッセージ（オーバヘッド又はデータリンク）の内容に関らず、ＳＯＮＥＴ信号送信部４ａにおいてはＯＣ−Ｎ／ＳＴＳ−Ｎフレームのオーバヘッドに、基準ＤＳ１信号送信部４ｂにおいてはデータリンクにシンクロナイゼイション・メッセージ“ＤＵＳ”を挿入して送信フレームとして送出し、このフレームをマスタ・クロックとして使用できないようにしている。
【０２２４】
なお、ＳＯＮＥＴ信号送信部４ａ又は基準ＤＳ１信号送信部４ｂがユニット障害状態のときは、送信フレーム及び送信シンクロナイゼイション・メッセージの内容が異常であるので、シンクロナイゼイション・メッセージ“ＤＵＳ”を対向局に送出できるようにしている。
【０２２５】
〔６〕図４７は図６に原理的に示した本発明〔６〕に係るシンクロナイゼイション・メッセージ送信装置の実施例を示しており、この実施例では、信号送信部４として，ＳＯＮＥＴ信号送信部４ａ、及び基準ＤＳ１信号送信部４ｂのいずれかが用いられており、監視・制御部８として、ＣＰＵ部９が用いられている。
【０２２６】
動作においては、ユニット障害検出部１０ｃが送信部４（ＳＯＮＥＴ信号送信部４ａ又は基準ＤＳ１信号送信部４ｂ）でユニット障害を検出すると、シンクロナイゼイション・メッセージ挿入部３からのシンクロナイゼイション・メッセージ（オーバヘッド又はデータリンク）の内容に関らず、ＳＯＮＥＴ信号送信部４ａにおいてはＯＣ−Ｎ／ＳＴＳ−Ｎフレームのオーバヘッドに、基準ＤＳ１信号送信部４ｂにおいてはデータリンクに、それぞれシンクロナイゼイション・メッセージ“ＤＵＳ”を挿入して送信フレーム（ＯＣ−Ｎ／ＳＴＳ−Ｎフレーム又はＥＳＦ・ＤＳ１フレーム）として送出し、このフレームをマスタ・クロックとして使用できないようにしている。
【０２２７】
【実施例】
〈１〉図４８は、図７〜４７に示した各実施例の内、特に図３４に示した実施例をより具体的に示したものである。
【０２２８】
この実施例では、信号受信部５が、ＳＯＮＥＴ信号受信部５ａと基準ＤＳ１信号受信部５ｂとで構成され、信号受信部５ｂはバイポーラ信号のＢＩＴＳ入力▲１▼，▲２▼（ＥＳＦ・ＤＳ１フレーム）をそれぞれ受けてシステム・クロック選択部１にユニポーラ信号のクロックＣＬＫ１、２を信号送信部４に与えるバイポーラ・ユニポーラ変換部（Ｂ／Ｕ）１１−１，１１−２で構成されており、信号受信部５ａは、グループ＃１（現用回線），グループ＃１（予備回線），グループ＃２（現用回線），グループ＃２（予備回線）からの入力信号をそれぞれ受けて分離し、クロック選択部１にクロックＣＬＫ１，２，３，４を与える分離部（ＤＭＵＸ）１２−１，１２−２，１２−３，１２−４で構成されている。
【０２２９】
また、シンクロナイゼイション・メッセージ検出部６は、バイポーラ・ユニポーラ変換部１１−１，１１−２からデータリンクＤＬ１，Ｄｌ２をそれぞれ受け、ＣＰＵ部９にそれぞれシンクロナイゼイション・メッセージＳＭ３，４を与えるＥＳＦ・ＤＳ１データリンク検出部６ｂ−１，６ｂ−２と、分離部１２−１，１２−２からのオーバヘッドＯＨ１と分離部１２−３，１２−４からのオーバヘッドＯＨ２とをそれぞれ受けて、ＣＰＵ部９にそれぞれシンクロナイゼイション・メッセージＳＭ１，２を与えるオーバヘッド検出部６ａ−１，６ａ−２内のＳ１検出部６ａ１−１，６ａ１−２とで構成されている。
【０２３０】
また、シンクロナイゼイション・メッセージ挿入部３は、ＣＰＵ部９からシンクロナイゼイション・メッセージＳＭ５を受けるオーバヘッド生成部３ａ−１内のＳ１挿入部３ａ１−１と、オーバヘッド生成部３ａ−２内のＳ１挿入部３ａ１−２とで構成されている。
【０２３１】
さらに、ＳＯＮＥＴ信号送信部４ａは、Ｓ１挿入部３ａ１−１からのオーバヘッドＯＨ３と基準ＤＳ１リファレンス・クロック選択部１からのリファレンス・クロックとを受けて多重化し、グループ＃１の現用回線と予備回線にそれぞれ出力する多重化部１４−１，１４−２と、Ｓ１挿入部３ａ１−２からのオーバヘッドＯＨ４と基準ＤＳ１リファレンス・クロック選択部１からのリファレンス・クロックとを受けて多重化し、グループ＃２の現用回線と予備回線にそれぞれ出力する多重化部１４−３，１４−４とで構成されている。
【０２３２】
なお、ＣＰＵ部９にはシンクロナイゼイション・メッセージ処理部２とシンクロナイゼイション・メッセージ比較部７が含まれている。
【０２３３】
動作においては、まず、ユーザが操作卓１６からクロック決定情報として、ソース・プライオリティ・リストと内部クロック部１３の品質情報をＣＰＵ部９内のシンクロナイゼイション・メッセージ処理部２に与える。
【０２３４】
ＳＯＮＥＴ信号／基準ＤＳ１信号受信部５はＯＣ−Ｎフレームとして、グループ＃１の現用回線及び予備回線、グループ＃２の現用回線及び予備回線を分離部１２−１〜１２−４でそれぞれ受信し、分離した後、それぞれのクロックＣＬＫ１〜ＣＬＫ４をシステム・クロック選択部１に与える。
【０２３５】
さらに、信号受信部５はＥＳＦ・ＤＳ１フレームとして、ＢＩＴＳ入力▲１▼，▲２▼をバイポーラ・ユニポーラ変換部１１−１，１１−２において、それぞれユニポーラ信号としてのクロックＣＬＫ１，ＣＬＫ２に変換してシステム・クロック選択部１に与える。
【０２３６】
シンクロナイゼイション・メッセージ検出部６内のＳ１検出部６ａ１−１は、分離部１２−１，１２−２のうちの現用となっている分離部から出力されるフレームのオーバヘッドＯＨ１内のシンクロナイゼイション・メッセージＳＭ１をＣＰＵ部９内のシンクロナイゼイション・メッセージ処理部２に与える。
【０２３７】
Ｓ１検出部６ａ１−２は、分離部１２−３，１２−４いずれかから出力されるフレームのオーバヘッドＯＨ２に関し、同様にしてシンクロナイゼイション・メッセージＳＭ２を処理部２に与える。
【０２３８】
シンクロナイゼイション・メッセージ検出部６はバイポーラ・ユニポーラ変換部１１−１，１１−２の各出力をＥＳＦ・ＤＳ１データリンク検出部６ｂ１−１，６ｂ１−２に送り、データリンクＤＬ１及びデータリンクＤＬ２のそれぞれのシンクロナイゼイション・メッセージＳＭ３，４を処理部２に与える。
【０２３９】
シンクロナイゼイション・メッセージ処理部２はクロックＣＬＫ１〜４の品質をそれぞれ示すシンクロナイゼイション・メッセージＳＭ１〜４と、ソース・プライオリティ・リストに基づいて選択すべきクロックを決定する。ただし、シンクロナイゼイション・メッセージが“ＤＵＳ”であるときには対応するクロックを選択しないこととする。
【０２４０】
そして、シンクロナイゼイション・メッセージ処理部２は選択すべきクロックを指定したクロック選択命令をシステム・クロック選択部１に送信する。
【０２４１】
クロック選択命令を受けたシステム・クロック選択部１は指定されたクロックを選択し、リファレンス・クロックとして多重化部１４−１〜１４−４に送り、多重化されてマスタ・クロックとして対向局に送出される。
【０２４２】
一方、シンクロナイゼイション・メッセージ比較部７は、予め知らされている内部クロックの品質レベルと、リファレンス・クロック選択部１において選択されたクロックのシンクロナイゼイション・メッセージによって示される品質レベルとを比較した比較情報をＳ１挿入部３ａ−１，３ａ−２に与える。
【０２４３】
Ｓ１挿入部３ａ−１，３ａ−２は選択されたリファレンス・クロックの品質レベルが内部クロックの品質レベルより低い場合、オーバヘッドのＳ１バイトのビット５〜８を“１１１１”（ＤＵＳ）とし、オーバヘッド生成部３ａ−１，３ａ−２においてオーバヘッドを生成してＳＯＮＥＴ送信部としての多重化部１４−１〜１４ー４に与える。
【０２４４】
多重化部１４−１〜１４−４はＳＯＮＥＴフレームとしてのＯＣ−１フレームをグループ＃１の現用回線及び予備回線と、グループ＃２の現用回線及び予備回線に送出し、シンクロナイゼイション・メッセージ“ＤＵＳ”を含むＯＣ−１フレームを受信した対向局はこのフレームをマスタ・クロックとして使用しないことになる。
【０２４５】
〈２〉図４９は図４８に示した実施例〈１〉を変形したもので、実施例〈１〉と異なる点は、シンクロナイゼイション・メッセージ挿入部３にオーバヘッド挿入部３ａ−１，３ａ−２の代わりに、ＥＳＦ・ＤＳ１データリンク挿入部３ｂ−１，３ｂ−２を用いており、さらに、ＳＯＮＥＴ送信部４ａの代わりに、基準ＤＳ１信号送信部４ｂを用いていることである。
【０２４６】
この基準ＤＳ１信号送信部４ｂは、基準ＤＳ１リファレンス・クロック選択部１からリファレンス・クロックを受け、ＥＳＦ・ＤＳ１データリンク挿入部３ｂー１，３ｂー２からそれぞれデータリンクＤＬ１，ＤＬ２を受けるユニポーラ・バイポーラ変換部（Ｕ／Ｂ）１５−１，１５−２によって構成されている。
【０２４７】
このユニポーラ・バイポーラ変換部１５−１，１５−２はユニポーラ入力信号をバイポーラ信号としての基準ＤＳ１フレームＦＲ１，ＦＲ２に変換して送出している。
【０２４８】
ＣＰＵ部９内にはシンクロナイゼイション・メッセージ処理部２と誤実装検出部１０ｂが含まれている。
【０２４９】
なお、基準ＤＳ１リファレンス・クロック選択部１はマイコン・インタフェース上に固有のコードを持っていて、この固有のコードは予め誤実装検出部１０ｂの知らされている。
【０２５０】
動作においては、いま、基準ＤＳ１リファレンス・クロック選択部１が誤実装状態であるとする。ＣＰＵ部９内の誤実装検出部１０ｂは、このリファレンス・クロック選択部１がマイコン・インタフェース上に持つ固有のコードを読みに行くと、予め知らされている固有コードでないことを知り、この読み取ったコードがリファレンス・クロック選択部１の未実装状態のときのコードでないことを確認して、リファレンス・クロック選択部１が誤実装状態であることを検出する。
【０２５１】
この誤実装状態を検出した誤実装検出部１０ｂは誤実装情報をＥＳＦ・ＤＳ１データリンク挿入部３ｂ−１，３ｂー２に与える。
【０２５２】
この誤実装情報を受けたＥＳＦ・ＤＳ１データリンク挿入部３ｂ−１，３ｂー２はＣＰＵ部９内のシンクロナイゼイション・メッセージ処理部２からのシンクロナイゼイション・メッセージの内容に関らず、データリンクを強制的に予め決められたビット列“００１１００００１１１１１１１１”（ＤＵＳ）にする。
【０２５３】
ユニポーラ・バイポーラ変換部１５−１，１５−２はＥＳＦ・ＤＳ１フレームである基準ＤＳ１フレームＦＲ１，ＦＲ２をそれぞれ送出する。
【０２５４】
このシンクロナイゼイション・メッセージ“ＤＵＳ”を含むＥＳＦ・ＤＳ１フレームを受信した対向局はこのフレームをマスタ・クロックとして使用しないことになる。
【０２５５】
【発明の効果】
以上説明したように、本発明に係るシンクロナイゼイション・メッセージ送信装置は、装置を構成する各部に異常が発生したときあるいはクロックの誤設定などのとき、これを検出して送信フレームが対向局のマスタ・クロックとして使用できないことを示す情報をシンクロナイゼイション・メッセージに含ませるように構成したので、かかるシンクロナイゼイション・メッセージを受信した対向局では、送られてきたフレームを自局のマスタ・クロックとして使用することがなくなり、同期網の安定性及び品質保証を向上させることができる。
【図面の簡単な説明】
【図１】本発明〔１〕に係るシンクロナイゼイション・メッセージ送信装置の原理図である。
【図２】本発明〔２〕に係るシンクロナイゼイション・メッセージ送信装置の原理図である。
【図３】本発明〔３〕に係るシンクロナイゼイション・メッセージ送信装置の原理図である。
【図４】本発明〔４〕に係るシンクロナイゼイション・メッセージ送信装置の原理図である。
【図５】本発明〔５〕に係るシンクロナイゼイション・メッセージ送信装置の原理図である。
【図６】本発明〔６〕に係るシンクロナイゼイション・メッセージ送信装置の原理図である。
【図７】本発明〔１〕に係るシンクロナイゼイション・メッセージ送信装置の実施例（１）を示すブロック図である。
【図８】本発明〔１〕に係るシンクロナイゼイション・メッセージ送信装置の実施例（２）を示すブロック図である。
【図９】本発明〔１〕に係るシンクロナイゼイション・メッセージ送信装置の実施例（３）を示すブロック図である。
【図１０】本発明〔１〕に係るシンクロナイゼイション・メッセージ送信装置の実施例（４）を示すブロック図である。
【図１１】本発明〔１〕に係るシンクロナイゼイション・メッセージ送信装置の実施例（５）を示すブロック図である。
【図１２】本発明〔１〕に係るシンクロナイゼイション・メッセージ送信装置の実施例（６）を示すブロック図である。
【図１３】本発明〔１〕に係るシンクロナイゼイション・メッセージ送信装置の実施例（７）を示すブロック図である。
【図１４】本発明〔１〕に係るシンクロナイゼイション・メッセージ送信装置の実施例（８）を示すブロック図である。
【図１５】本発明〔１〕に係るシンクロナイゼイション・メッセージ送信装置の実施例（９）を示すブロック図である。
【図１６】本発明〔１〕に係るシンクロナイゼイション・メッセージ送信装置の実施例（１０）を示すブロック図である。
【図１７】本発明〔１〕に係るシンクロナイゼイション・メッセージ送信装置の実施例（１１）を示すブロック図である。
【図１８】本発明〔１〕に係るシンクロナイゼイション・メッセージ送信装置の実施例（１２）を示すブロック図である。
【図１９】本発明〔１〕に係るシンクロナイゼイション・メッセージ送信装置の実施例（１３）を示すブロック図である。
【図２０】本発明〔１〕に係るシンクロナイゼイション・メッセージ送信装置の実施例（１４）を示すブロック図である。
【図２１】本発明〔１〕に係るシンクロナイゼイション・メッセージ送信装置の実施例（１５）を示すブロック図である。
【図２２】本発明〔１〕に係るシンクロナイゼイション・メッセージ送信装置の実施例（１６）を示すブロック図である。
【図２３】本発明〔１〕に係るシンクロナイゼイション・メッセージ送信装置の実施例（１７）を示すブロック図である。
【図２４】本発明〔１〕に係るシンクロナイゼイション・メッセージ送信装置の実施例（１８）を示すブロック図である。
【図２５】本発明〔１〕に係るシンクロナイゼイション・メッセージ送信装置の実施例（１９）を示すブロック図である。
【図２６】本発明〔１〕に係るシンクロナイゼイション・メッセージ送信装置の実施例（２０）を示すブロック図である。
【図２７】本発明〔１〕に係るシンクロナイゼイション・メッセージ送信装置の実施例（２１）を示すブロック図である。
【図２８】本発明〔１〕に係るシンクロナイゼイション・メッセージ送信装置の実施例（２２）を示すブロック図である。
【図２９】本発明〔１〕に係るシンクロナイゼイション・メッセージ送信装置の実施例（２３）を示すブロック図である。
【図３０】本発明〔１〕に係るシンクロナイゼイション・メッセージ送信装置の実施例（２４）を示すブロック図である。
【図３１】本発明〔２〕に係るシンクロナイゼイション・メッセージ送信装置の実施例（１）を示すブロック図である。
【図３２】本発明〔２〕に係るシンクロナイゼイション・メッセージ送信装置の実施例（２）を示すブロック図である。
【図３３】本発明〔２〕に係るシンクロナイゼイション・メッセージ送信装置の実施例（３）を示すブロック図である。
【図３４】本発明〔２〕に係るシンクロナイゼイション・メッセージ送信装置の実施例（４）を示すブロック図である。
【図３５】本発明〔２〕に係るシンクロナイゼイション・メッセージ送信装置の実施例（５）を示すブロック図である。
【図３６】本発明〔２〕に係るシンクロナイゼイション・メッセージ送信装置の実施例（６）を示すブロック図である。
【図３７】本発明〔３〕に係るシンクロナイゼイション・メッセージ送信装置の実施例（１）を示すブロック図である。
【図３８】本発明〔３〕に係るシンクロナイゼイション・メッセージ送信装置の実施例（２）を示すブロック図である。
【図３９】本発明〔３〕に係るシンクロナイゼイション・メッセージ送信装置の実施例（３）を示すブロック図である。
【図４０】本発明〔３〕に係るシンクロナイゼイション・メッセージ送信装置の実施例（４）を示すブロック図である。
【図４１】本発明〔３〕に係るシンクロナイゼイション・メッセージ送信装置の実施例（５）を示すブロック図である。
【図４２】本発明〔３〕に係るシンクロナイゼイション・メッセージ送信装置の実施例（６）を示すブロック図である。
【図４３】本発明〔３〕に係るシンクロナイゼイション・メッセージ送信装置の実施例（７）を示すブロック図である。
【図４４】本発明〔３〕に係るシンクロナイゼイション・メッセージ送信装置の実施例（８）を示すブロック図である。
【図４５】本発明〔４〕に係るシンクロナイゼイション・メッセージ送信装置の実施例を示すブロック図である。
【図４６】本発明〔５〕に係るシンクロナイゼイション・メッセージ送信装置の実施例を示すブロック図である。
【図４７】本発明〔６〕に係るシンクロナイゼイション・メッセージ送信装置の実施例を示すブロック図である。
【図４８】本発明に係るシンクロナイゼイション・メッセージ送信装置のより具体的な実施例〈１〉を示すブロック図である。
【図４９】本発明に係るシンクロナイゼイション・メッセージ送信装置のより具体的な実施例〈２〉を示すブロック図である。
【図５０】従来のシンクロナイゼイション・メッセージ送信装置のＳＯＮＥＴオーバヘッドを示すバイト割付図である。
【図５１】従来のシンクロナイゼイション・メッセージ送信装置のＤＳ１フレームとＥＳＦ・ＤＳ１フレームを示すフォーマット図である。
【図５２】従来のシンクロナイゼイション・メッセージ送信装置のＥＳＦ・ＤＳ１フレームを示すビット割付図である。
【図５３】従来のシンクロナイゼイション・メッセージ送信装置のシンクロナイゼイション・メッセージの階層と対応するＳＯＮＥＴオーバヘッド及びデータリンクの符号を示す図である。
【符号の説明】
１  クロック選択部
１ａ  システム・クロック選択部
１ｂ  リファレンス・クロック選択部
２  シンクロナイゼイション・メッセージ処理部
３  シンクロナイゼイション・メッセージ挿入部
３ａ−１，３ａ−２  オーバヘッド生成部
３ａ１−１，３ａ１−２  Ｓ１挿入部
３ｂ−１，３ｂ−２  ＥＳＦ・ＤＳ１データリンク挿入部
４  信号送信部
４ａ  ＳＯＮＥＴ信号送信部
４ｂ  基準ＤＳ１信号送信部
５  信号受信部（ＳＯＮＥＴ信号／基準ＤＳ１信号受信部)
６  シンクロナイゼイション・メッセージ検出部
６ａ−１，６ａ−２  オーバヘッド検出部
６ａ１−１，６ａ１−２  Ｓ１検出部
６ｂ−１，６ｂ−２  ＥＳＦ・ＤＳ１データリンク検出部
７  シンクロナイゼイション・メッセージ比較部
８  監視・制御部
９  ＣＰＵ部
１０  異常検出部
１０ａ  未実装検出部
１０ｂ  誤実装検出部
１０ｃ  ユニット障害検出部
１１−１，１１−２  バイポーラ・ユニポーラ変換部（Ｂ／Ｕ）
１２−１〜１２−４  分離部（ＤＭＵＸ）
１３  内部クロック部
１４−１〜１４−４  多重化部（ＭＵＸ）
１５−１，１５−２  ユニポーラ・バイポーラ変換部（Ｕ／Ｂ）
１６  操作卓
図中、同一符号は同一又は相当部分を示す。
【図１】
0003681225.tif 000002
【図２】
0003681225.tif 000003
【図３】
0003681225.tif 000004
【図４】
0003681225.tif 000005
【図５】
0003681225.tif 000006
【図６】
0003681225.tif 000007
【図７】
0003681225.tif 000008
【図８】
0003681225.tif 000009
【図９】
0003681225.tif 000010
【図１０】
0003681225.tif 000011
【図１１】
0003681225.tif 000012
【図１２】
0003681225.tif 000013
【図１３】
0003681225.tif 000014
【図１４】
0003681225.tif 000015
【図１５】
0003681225.tif 000016
【図１６】
0003681225.tif 000017
【図１７】
0003681225.tif 000018
【図１８】
0003681225.tif 000019
【図１９】
0003681225.tif 000020
【図２０】
0003681225.tif 000021
【図２１】
0003681225.tif 000022
【図２２】
0003681225.tif 000023
【図２３】
0003681225.tif 000024
【図２４】
0003681225.tif 000025
【図２５】
0003681225.tif 000026
【図２６】
0003681225.tif 000027
【図２７】
0003681225.tif 000028
【図２８】
0003681225.tif 000029
【図２９】
0003681225.tif 000030
【図３０】
0003681225.tif 000031
【図３１】
0003681225.tif 000032
【図３２】
0003681225.tif 000033
【図３３】
0003681225.tif 000034
【図３４】
0003681225.tif 000035
【図３５】
0003681225.tif 000036
【図３６】
0003681225.tif 000037
【図３７】
0003681225.tif 000038
【図３８】
0003681225.tif 000039
【図３９】
0003681225.tif 000040
【図４０】
0003681225.tif 000041
【図４１】
0003681225.tif 000042
【図４２】
0003681225.tif 000043
【図４３】
0003681225.tif 000044
【図４４】
0003681225.tif 000045
【図４５】
0003681225.tif 000046
【図４６】
0003681225.tif 000047
【図４７】
0003681225.tif 000048
【図４８】
0003681225.tif 000049
【図４９】
0003681225.tif 000050
【図５０】
0003681225.tif 000051
【図５１】
0003681225.tif 000052
【図５２】
0003681225.tif 000053
【図５３】
0003681225.tif 000054